(57)【特許請求の範囲】
【請求項１】
物体側から像側に順に、
正屈折力の第１レンズ群と、
負屈折力の第２レンズ群と、
正屈折力の第３レンズ群と正屈折力の第４レンズ群とで構成された正屈折力の像側レンズグループと
からなり、
広角端から望遠端への変倍の際に上記各レンズ群の間の距離が変化し、
広角端よりも望遠端にて
前記第１レンズ群と前記第２レンズ群との間の間隔は広がり、
前記第２レンズ群と前記像側レンズグループとの間の間隔は狭まり、
前記第２レンズ群は
第２レンズ群中で最も長い軸上空気間隔の物体側に配置された物体側副レンズ群とその軸上空気間隔の像側に配置された像側副レンズ群とからなり、
且つ、
レンズ成分を光路中にて空気と接する屈折面が物体側面と像側面の２面のみのレンズ体とするとき、
前記物体側副レンズ群は、物体側に凸の負メニスカスレンズを含む負メニスカスレンズ成分を有し、
前記物体側副レンズ群に含まれるレンズは、全て物体側に凸のメニスカスレンズであり、
前記像側副レンズ群に含まれるレンズは、全て像側に凸のメニスカスレンズであり、
前記像側副レンズ群は、像側に凸の負メニスカスレンズを含むメニスカスレンズ成分を有するとともに、前記像側副レンズ群は、前記負メニスカスレンズよりも物体側に配置され且つ像側に凸面を向けた正メニスカスレンズを有し、
以下の条件式（Ａ）を満足することを特徴とするズームレンズ。
−５．０  ＜  ＲＬ２Ｒｒ／Ｄａｉｒ  ＜  −１．０  （Ａ）
ただし、
ＲＬ２Ｒｒは、前記第２レンズ群中の最も像側に配置されたメニスカスレンズの像側面の近軸曲率半径、
Ｄａｉｒは、前記物体側副レンズ群の像側面から前記像側副レンズ群の物体側面までの光軸上での距離
である。
【請求項２】
前記物体側副レンズ群中の前記負メニスカスレンズは、前記物体側副レンズ群中の最も物体側に配置されたレンズであり、
前記像側副レンズ群中の前記負メニスカスレンズは、前記像側副レンズ群中の最も像側に配置されたレンズである
ことを特徴とする請求項１に記載のズームレンズ。
【請求項３】
以下の条件式（１）を満足する
ことを特徴とする請求項２に記載のズームレンズ。
ｆＬ２Ｆ／ｆＬ２Ｒ  ＞  ０．１          （１）
ただし、
ｆＬ２Ｆは、前記第２レンズ群中、最も物体側に配置された前記負メニスカスレンズの焦点距離、
ｆＬ２Ｒは、前記第２レンズ群中、最も像側に配置された前記負メニスカスレンズの焦点距離
である。
【請求項４】
以下の条件式（２）を満足する
ことを特徴とする請求項２または３に記載のズームレンズ。
０．１  ＜  ＲＬ２Ｒｆ／ＲＬ２Ｒｒ  ＜  ０．９      （２）
ただし、
ＲＬ２Ｒｆは、前記第２レンズ群中の最も像側に配置された負メニスカスレンズの物体側面の近軸曲率半径、
ＲＬ２Ｒｒは、前記第２レンズ群中の最も像側に配置された負メニスカスレンズの像側面の近軸曲率半径
である。
【請求項５】
以下の条件式（３）を満足する
ことを特徴とする請求項１から４のいずれかに記載のズームレンズ。
−２．５  ＜  ｆ２／ｆｗ  ＜  −１．０  （３）
ただし、
ｆ２は、前記第２レンズ群の焦点距離、
ｆｗは、広角端でのズームレンズ全系の焦点距離
である。
【請求項６】
前記第２レンズ群中の最も像側に配置されたメニスカスレンズが
少なくとも１面の非球面を有するメニスカスレンズである
ことを特徴とする
請求項１から５のいずれかに記載のズームレンズ。
【請求項７】
前記第２レンズ群中の前記物体側副レンズ群は前記負メニスカスレンズを含む１つの負メニスカスレンズ成分からなり、
前記第２レンズ群中の前記像側副レンズ群は、物体側から順に、前記正メニスカスレンズを含む物体側メニスカスレンズ成分と前記負メニスカスレンズを含み負の屈折力の像側メニスカスレンズ成分の２つのレンズ成分からなる
ことを特徴とする請求項１から６のいずれかに記載のズームレンズ。
【請求項８】
前記第２レンズ群中の前記像側副レンズ群における前記物体側レンズ成分の像側面と前記像側レンズ成分の物体側面の距離が、光軸上よりも周辺にて短い
ことを特徴とする請求項７記載のズームレンズ。
【請求項９】
前記第２レンズ群中の前記像側副レンズ群中の前記物体側レンズ成分が、物体側から順に、負メニスカスレンズと正メニスカスレンズからなる
ことを特徴とする請求項７または８に記載のズームレンズ。
【請求項１０】
前記第２レンズ群中の前記物体側副レンズ群は前記負メニスカスレンズ１枚からなり、
前記第２レンズ群中の前記像側副レンズ群中の前記物体側レンズ成分は前記正メニスカスレンズを含む複数のメニスカスレンズを接合した接合レンズ成分であり、前記像側レンズ成分は負メニスカスレンズ１枚からなる
ことを特徴とする請求項７から９のいずれかに記載のズームレンズ。
【請求項１１】
前記第２レンズ群中の最も物体側のレンズ面、物体側から２番目のレンズ面、物体側から３番目のレンズ面のうちのいずれかのレンズ面が非球面である
ことを特徴とする請求項１から１０のいずれかに記載のズームレンズ。
【請求項１２】
前記第２レンズ群は、物体側から像側に順に、
前記物体側副レンズ群中の負メニスカスレンズ、
前記像側副レンズ群中の前記正メニスカスレンズ、
前記像側副レンズ群中の前記負メニスカスレンズ
の３枚のレンズからなる
ことを特徴とする請求項１、７、８のいずれかに記載のズームレンズ。
【請求項１３】
以下の条件式（４）、（５）を満足する
ことを特徴とする請求項１から１２のいずれかに記載のズームレンズ。
０．２６  ＜  １ＧＵＹ／ｆｗ  ＜  ０．３５  （４）
０．２５  ＜  ３ＧＵＹ／ｆ３  ＜  ０．５０  （５）
ただし、
１ＧＵＹは、広角端での前記第１レンズ群の最も物体側の屈折面に入射する軸上マージナル光線の光軸からの高さ、
３ＧＵＹは、広角端での前記像側レンズグループの最も物体側の屈折面に入射する軸上マージナル光線の光軸からの高さ、
ｆｗは、広角端でのズームレンズ全系の焦点距離、
ｆ３は、前記像側レンズグループ中の最も物体側のレンズ群の焦点距離
である。
【請求項１４】
以下の条件式（４）、（６）を満足することを特徴とする、請求項１から１３のいずれかに記載のズームレンズ。
０．２６  ＜  １ＧＵＹ／ｆｗ  ＜  ０．３５  （４）
０．７  ＜  ３ＧＵＹ／ｆｗ  ＜  １．４０    （６）
ただし、
１ＧＵＹは、広角端での前記第１レンズ群の最も物体側の屈折面に入射する軸上マージナル光線の光軸からの高さ、
３ＧＵＹは、広角端での前記像側レンズグループの最も物体側の屈折面に入射する軸上マージナル光線の光軸からの高さ、
ｆｗは、広角端でのズームレンズ全系の焦点距離、
である。
【請求項１５】
以下の条件式（７）を満足する
ことを特徴とする請求項１から１４のいずれかに記載のズームレンズ。
８．０  ＜  ｆ１／ｆｗ  ＜  １２  （７）
ただし、
ｆ１は、前記第１レンズ群の焦点距離、
ｆｗは、広角端でのズームレンズ全系の焦点距離
である。
【請求項１６】
以下の条件式（８）を満足する
ことを特徴とする請求項５に記載のズームレンズ。
３．６  ＜  （β２ｔ／β２ｗ）＊（β３ｔ／β３ｗ）＊（β４ｔ／β４ｗ）  ＜  ５．２  （８）
ただし、
β２ｗは、前記第２レンズ群の広角端での倍率、
β２ｔは、前記第２レンズ群の望遠端での倍率、
β３ｗは、前記像側レンズグループ中の最も物体側のレンズ群の広角端での倍率、
β３ｔは、前記像側レンズグループ中の最も物体側のレンズ群の望遠端での倍率、
β４ｗは、前記像側レンズグループ中の物体側から２番目のレンズ群の広角端での倍率、
β４ｔは、前記像側レンズグループ中の物体側から２番目のレンズ群の望遠端での倍率
である。
【請求項１７】
以下の条件式（９）を満足する
ことを特徴とする請求項１から１６のいずれかに記載のズームレンズ。
２．３  ＜  ｆ３／ｆｗ  ＜  ３．０    （９）
ただし、
ｆ３は、前記像側レンズグループ中の最も物体側のレンズ群の焦点距離、
ｆｗは、広角端でのズームレンズ全系の焦点距離
である。
【請求項１８】
以下の条件式（１０）を満足する
ことを特徴とする請求項１乃至１７のいずれかに記載のズームレンズ。
３．５  ＜  ｆ４／ｆｗ  ＜  ９．５  （１０）
ただし、
ｆ４は、前記像側レンズグループ中の物体側から２番目のレンズ群の焦点距離、
ｆｗは、広角端でのズームレンズ全系の焦点距離
である。
【請求項１９】
前記像側レンズグループ中の物体側から２番目のレンズ群は、広角端から望遠端への変倍の際に移動し且つプラスチック非球面レンズを含む
ことを特徴とする請求項１８に記載のズームレンズ。
【請求項２０】
以下の条件式（１１）を満足する
ことを特徴とする請求項１乃至１８のいずれかに記載のズームレンズ。
９．２  ＜  Ｌｗ／ｆｗ  ＜  １１．２  （１１）
ただし、
Ｌｗは、広角端でのズームレンズの全長、
ｆｗは、広角端でのズームレンズ全系の焦点距離
である。
【請求項２１】
以下の条件式（８）、（１２）を満足することを特徴とする、請求項１乃至２０のいずれかに記載のズームレンズ。
３．６  ＜  （β２ｔ／β２ｗ）＊（β３ｔ／β３ｗ）＊（β４ｔ／β４ｗ）  ＜  ５．２  （８）
０．２２  ＜  （β２ｔ／β２ｗ）／（β３ｔ／β３ｗ）  ＜  ０．６３  （１２）
ただし、
β２ｗは、前記第２レンズ群の広角端での倍率、
β２ｔは、前記第２レンズ群の望遠端での倍率、
β３ｗは、前記像側レンズグループ中の最も物体側のレンズ群の広角端での倍率、
β３ｔは、前記像側レンズグループ中の最も物体側のレンズ群の望遠端での倍率、
β４ｗは、前記像側レンズグループ中の物体側から２番目のレンズ群の広角端での倍率、
β４ｔは、前記像側レンズグループ中の物体側から２番目のレンズ群の望遠端での倍率
である。
【請求項２２】
以下の条件式（１３）を満足する
ことを特徴とする請求項１乃至２１のいずれかに記載のズームレンズ。
１．４  ＜  β２ｔ／β２ｗ  ＜  １．８  （１３）
ただし、
β２ｗは、前記第２レンズ群の広角端での倍率、
β２ｔは、前記第２レンズ群の望遠端での倍率
である。
【請求項２３】
以下の条件式（１４）を満足する
ことを特徴とする請求項１乃至２２のいずれかに記載のズームレンズ。
２．７  ＜  β３ｔ／β３ｗ  ＜  ７．２  （１４）
ただし、
β３ｗは、前記像側レンズグループ中の最も物体側のレンズ群の広角端での倍率、
β３ｔは、前記像側レンズグループ中の最も物体側のレンズ群の望遠端での倍率、
である。
【請求項２４】
以下の条件式（１５）を満足する
ことを特徴とする請求項１から２３のいずれかに記載のズームレンズ。
０．３  ＜  β４ｔ／β４ｗ  ＜  ０．９  （１５）
ただし、
β４ｗは、前記像側レンズグループ中の物体側から２番目のレンズ群の広角端での倍率、
β４ｔは、前記像側レンズグループ中の物体側から２番目のレンズ群の望遠端での倍率
である。
【請求項２５】
以下の条件式（８）、（１６）を満足すること
を特徴とする請求項１乃至２４のいずれかに記載のズームレンズ。
３．６  ＜  （β２ｔ／β２ｗ）＊（β３ｔ／β３ｗ）＊（β４ｔ／β４ｗ）  ＜  ５．２  （８）
２，７  ＜  Ｄ２ｗ／ｆｗ  ＜  ４．５  （１６）
ただし、
Ｄ２ｗは、広角端における前記第２レンズ群と前記像側レンズグループの間の光軸上での距離、
ｆｗは、広角端でのズームレンズ全系の焦点距離、
β２ｗは、前記第２レンズ群の広角端での倍率、
β２ｔは、前記第２レンズ群の望遠端での倍率、
β３ｗは、前記像側レンズグループ中の最も物体側のレンズ群の広角端での倍率、
β３ｔは、前記像側レンズグループ中の最も物体側のレンズ群の望遠端での倍率、
β４ｗは、前記像側レンズグループ中の物体側から２番目のレンズ群の広角端での倍率、
β４ｔは、前記像側レンズグループ中の物体側から２番目のレンズ群の望遠端での倍率
である。
【請求項２６】
以下の条件式（１７）を満足する
ことを特徴とする請求項１から２５のいずれかに記載のズームレンズ。
１．３  ＜  delt３Ｇ／ｆｗ  ＜  ２．５  （１７）
ただし、
delt３Ｇは、広角端から望遠端における前記像側レンズグループ中の最も物体側のレンズ群の移動量、
ｆｗは広角端での全系の焦点距離
である。
【請求項２７】
前記像側レンズグループ中の最も物体側のレンズ群の物体側直前の空間からそのレンズ群の像側面までの何れかに配置された明るさ絞りを有し、
広角端から望遠端への変倍の際に、前記明るさ絞りは前記像側レンズグループ中の最も物体側のレンズ群と一体で移動する
ことを特徴とする請求項１から２６のいずれかに記載のズームレンズ。
【請求項２８】
前記第１レンズ群は１つのレンズ成分からなることを特徴とする請求項１から２７のいずれかに記載のズームレンズ。
【請求項２９】
前記ズームレンズの像側に撮像面を持つ撮像素子が配置され、
以下の条件式（１８）、（１９）を満足する
ことを特徴とする請求項１から２８のいずれかに記載のズームレンズ。
０．７２５  ＜  ＩＨ／ｆｗ  ＜  ０．８  （１８）
−０．２  ＜  Ｄ２ｗ／Ｌ１１ｒ  ＜  ０．２  （１９）
ただし、
ＩＨは、撮像面における軸外光線の最大光線高、
ｆｗは、広角端でのズームレンズ全系の焦点距離、
Ｄ２ｗは、広角端における前記第２レンズ群と前記像側レンズグループの間の光軸上での距離、
Ｌ１１ｒは、前記第１レンズ群の最も像側の屈折面の近軸曲率半径
である。
【請求項３０】
前記第２レンズ群は少なくともひとつの非球面レンズを有する
ことを特徴とする請求項１から２９のいずれかに記載のズームレンズ。
【請求項３１】
前記像側レンズグループ中の物体側から２番目のレンズ群は少なくともひとつの非球面レンズを有する
ことを特徴とする請求項１から３０のいずれかに記載のズームレンズ。
【請求項３２】
前記像側レンズグループ中の最も物体側のレンズ群は、物体側から順に、
物体側に凸の正レンズ成分と物体側に凸のメニスカスレンズ成分を有し、
前記メニスカスレンズ成分は、正レンズと負レンズを含む複数のレンズを有する
ことを特徴とする請求項１から３１のいずれかに記載のズームレンズ。
【請求項３３】
前記像側レンズグループ中の最も物体側のレンズ群における前記メニスカスレンズ成分は、物体側に凸の複数のメニスカスレンズからなる
ことを特徴とする請求項３２に記載のズームレンズ。
【請求項３４】
前記像側レンズグループ中の最も物体側のレンズ群における前記メニスカスレンズ成分は、物体側に凸の３枚のメニスカスレンズからなる
ことを特徴とする請求項３３に記載のズームレンズ。
【請求項３５】
前記像側レンズグループ中の最も物体側のレンズ群における前記メニスカスレンズ成分の像側に、物体側に凹面を向けた正屈折力のメニスカスレンズ成分が配置される
ことを特徴とする請求項３２または３３に記載のズームレンズ。
【請求項３６】
前記第１レンズ群と前記像側レンズグループ中の最も物体側のレンズ群は、広角端に対して望遠端にて物体側に近づく
ことを特徴とする請求項１から３５のいずれかに記載のズームレンズ。
【請求項３７】
請求項１から３６のいずれかのズームレンズと、
その像側に配置され、前記ズームレンズにより形成された像を撮像する撮像面を持ち、前記像を電気信号に変換する撮像素子を有することを特徴とする撮像装置。
【発明の詳細な説明】
【技術分野】
【０００１】
本発明は、ズームレンズに関するものである。あるいは、ズームレンズを備えたデジタルカメラやビデオカメラなどの撮像装置に関するものである。
【背景技術】
【０００２】
近年では、フィルムではなくＣＣＤやＣＭＯＳセンサーなどの撮像素子を用いて被写体を撮影するようにしたデジタルカメラやビデオカメラといった電子撮像装置が主流となっている。
電子撮像装置は、業務用の高機能タイプのデジタルカメラ、コンパクトな普及タイプのデジタルカメラ、監視カメラなど、幅広く普及している。
これらの電子撮像装置では共通して、種々の撮影シーンを想定し、撮影画角の変化が付けられるズームレンズが好まれている。
加えて、電子撮像装置の薄型化、小型化や高画質化のニーズもある。
しかしながら、薄型化、小型化のために撮像素子を小さくすると、撮像素子の画素数を変化させない場合は画素ピッチが小さくなる。そのため、１画素あたりの受光感度が不足しやすくなる。
そのため、受光感度の不足をカバーするために、Ｆ値の明るい（Ｆ値の小さい）ズームレンズが求められる。
また、コンパクトタイプのデジタルカメラに用いるズームレンズとしては、変倍比が３程度、広角端での画角が６３°程度が一般的である。
種々の撮影シーンに対応するためには、高変倍比で広角端での画角の広いズームレンズが求められている。
このようなズームレンズとして、特許文献１、特許文献２、特許文献３には、物体側から像側に順に、正屈折力の第１レンズ群と、負屈折力の第２レンズ群と、複数のレンズ群を含み全体として正屈折力の像側レンズグループとからなり、広角端から望遠端への変倍の際に各レンズ群の間の距離が変化するズームレンズが開示されている。
【先行技術文献】
【特許文献】
【０００３】
【特許文献１】特開２００４−２５２２０４号公報
【特許文献２】特開２００３−３１５６７６号公報
【特許文献３】特開２００１−２４２３７９号公報
【発明の概要】
【発明が解決しようとする課題】
【０００４】
しかしながら、特許文献１に開示されたズームレンズでは、Ｆ値が広角端で２．８程度であり、変倍比が３程度で、広角端での画角が６３°程度にとどまる。
特許文献２に開示されたズームレンズは、変倍比が４以上確保されているものの、Ｆ値が広角端で２．８程度であり、広角端での画角が６３°程度にとどまる。
特許文献３に開示されたズームレンズは、Ｆ値が広角端で２．０程度と比較的明るいズームレンズであるが、変倍比が３程度で、広角端での画角が６３°程度にとどまる。
つまり、いずれの特許文献に記載のズームレンズにおいても、画角を確保しつつ変倍比と明るさを両立できていない。
【０００５】
このような課題に鑑み、本発明は、画角を確保しつつ変倍比と明るさを両立できるズームレンズの提供を目的とするものである。
更には、そのようなズームレンズを備えた撮像装置の提供を目的とするものである。
【課題を解決するための手段】
【０００６】
上述の課題に鑑み、本発明のズームレンズは、最も物体側に配置された正屈折力の第１レンズ群と、第１レンズ群よりも像側に配置された負屈折力の第２レンズ群と、そして、第２レンズ群の像側に配置され且つ複数のレンズ群を含み全体として正屈折力の像側レンズグループとからなり、広角端から望遠端への変倍の際に前述の各レンズ群の間の距離が変化し、広角端よりも望遠端にて第１レンズ群と第２レンズ群との間の間隔は広がり、第２レンズ群と像側レンズグループとの間の間隔は狭まる構成を基本構成としている。
【０００７】
このように、ズームレンズとして、物体側より正の第１レンズ群、負の第２レンズ群、複数のレンズ群を含むレンズグループからなる構成とすることで、画角の確保、変倍比、明るさの確保に有利な構成となる。
前記像側レンズグループを、正屈折力の第３レンズ群と正屈折力の第４レンズ群の２つのレンズ群にて構成してもよい。つまり、物体側から像側に順に、正屈折力の第１レンズ群と、負屈折力の第２レンズ群と、正屈折力の第３レンズ群と正屈折力の第４レンズ群とからなるズームレンズとしてもよい。
像側のテレセントリック性を良好にできる。加えて、ズームレンズを沈胴収納する場合は、収納時の薄型化に有利となる。レンズ群数を少なくすることでメカ構成を含めたコスト低減に有利となる。
【０００８】
そして、このようなズームレンズの構成の場合、明るさの確保を行おうとすると第２レンズ群での軸上マージナル光線の光軸からの距離が大きくなる。そのため、軸外収差とともに第２レンズ群で発生する球面収差の発生も考慮した構成とすることが好ましい。
本発明においては、第２レンズ群内の構成を工夫し、明るさの確保、画角の確保、変倍比の確保を行っても光学性能を良好とできる構成としている。
具体的には、第２レンズ群は第２レンズ群中で最も長い軸上空気間隔の物体側に配置された物体側副レンズ群とその軸上空気間隔の像側に配置された像側副レンズ群とからなり、且つ、レンズ成分を光路中にて空気と接する屈折面が物体側面と像側面の２面のみのレンズ体とするとき、物体側副レンズ群は、物体側に凸の負メニスカスレンズを含む負メニスカスレンズ成分を有し、物体側副レンズ群に含まれるレンズは、全て物体側に凸のメニスカスレンズであり、像側副レンズ群に含まれるレンズは、全て像側に凸のメニスカスレンズとしている。
加えて、前記像側副レンズ群は、像側に凸の負メニスカスレンズを含むメニスカスレンズ成分を有するとともに、第２レンズ群中の像側副レンズ群が、前述の負メニスカスレンズよりも物体側に配置され且つ像側に凸面を向けた正メニスカスレンズを有し、以下の条件式（Ａ）を満足している。
−５．０  ＜  Ｒ２Ｒｒ／Ｄａｉｒ  ＜  −１．０  （Ａ）
ただし、
ＲＬ２Ｒｒは、前記第２レンズ群中の最も像側に配置されたメニスカスレンズの像側面の近軸曲率半径、
Ｄａｉｒは、前記物体側副レンズ群の像側面から前記像側副レンズ群の物体側面までの光軸上での距離である。
【０００９】
このように構成し、第２レンズ群中の最も長い軸上空気間隔を挟み、それぞれのレンズがその空気間隔側へ凹面を向けたメニスカス形状となるようにしている。
加えて、物体側副レンズ群中の何れかのメニスカスレンズを物体側に凸面を向けた負メニスカスレンズとしている。
このような構成により、前述の空気間隔を挟んで向かい合った凹面同士にて第２レンズ群に必要は負の屈折力を確保でき、変倍比や画角の確保に有利となる。そして、明るさを確保しても、向かい合う凹面にて発生する収差を物体側副レンズ群と像側副レンズ群の双方の凸面にてキャンセルでき、球面収差を含む諸収差の低減に有利となる。
また、それぞれの副レンズ群の光軸上での厚みの低減にも有利となる。例えば、像側副レンズ群を正レンズと負レンズを含む複数のレンズで構成しても厚さを抑えることが可能となる。
加えて、物体側副レンズ群と像側副レンズ群の双方に負メニスカスレンズを配置することにより、第２レンズ群の負の屈折力を十分に確保できる。そして、負屈折力を複数のレンズに分担し、それぞれの凹面を向き合わせて配置することにより第２レンズ群での諸収差の低減にいっそう有利としている。
加えて、像側副レンズ群は物体側副レンズ群と比較して有効径が小さくなるので、この副レンズ群中に正メニスカスレンズを配置することで、第２レンズ群を大型化させることなく色収差の補正に有利としている。
上述の条件式（Ａ）を満足することで、収差補正にいっそう有利となり、明るさと画角の確保に伴う像面湾曲の影響の低減に有利としている。
下限を下回らないようにすることで、広角端での像面湾曲の補正に有利となる。
上限を上回らないようにすることで、広角端での像面湾曲の補正過剰を抑えやすくなる。
【００１０】
このような構成において、以下の構成のいずれかひとつもしくは複数を同時に満足することが好ましい。
【００１５】
また、物体側副レンズ群中の前述の負メニスカスレンズは、物体側副レンズ群中の最も物体側に配置され、像側副レンズ群中の前述の負メニスカスレンズは、像側副レンズ群中の最も像側に配置されることがより好ましい。
最も物体側の負メニスカスレンズにより、第２レンズ群に入射する軸外光束を少しずつ屈折させることで収差を抑えながら画角の確保に有利となる。第２レンズ群中の最も物体側のレンズと最も像側のレンズが前述の軸上空気間隔に対して対称的な配置となり、諸収差の補正に有利となり、性能の向上につながる。
【００１６】
更には、以下の条件式（１）を満足することが好ましい。
ｆＬ２Ｆ／ｆＬ２Ｒ  ＞  ０．１          （１）
ただし、
ｆＬ２Ｆは、第２レンズ群中、最も物体側に配置された前記負メニスカスレンズの焦点距離、
ｆＬ２Ｒは、第２レンズ群中、最も像側に配置された前記負メニスカスレンズの焦点距離
である。
条件式（１）は、上述の２つの負メニスカスレンズの好ましい焦点距離の比を特定するものである。
下限を下回らないようにすることで、最も像側の負メニスカスレンズの負の屈折力を確保でき、第２レンズ群の負の屈折力の確保と諸収差の補正に有利となる。
【００１７】
また、以下の条件式（２）を満足することが好ましい。
０．１  ＜  ＲＬ２Ｒｆ／ＲＬ２Ｒｒ  ＜  ０．９      （２）
ただし、
ＲＬ２Ｒｆは、第２レンズ群中の最も像側に配置された負メニスカスレンズの物体側面の近軸曲率半径
である。
条件式（２）は、第２レンズ群の最も像側に配置されたレンズの好ましい形状を特定するものである。
このレンズを通過する軸上光束は広角側にて発散する。このレンズの形状を最適化することにより、軸上光束を緩やかに曲げることで、第２レンズ群の負の屈折力を確保しつつ球面収差等の発生を抑えることに有利となる。
下限を下回らないようにすることで、負メニスカスレンズの像側面の曲率を確保でき、像面湾曲等の補正機能の確保に有利となる。
上限を上回らないようにすることで、負メニスカスレンズの負屈折力の確保による球面収差等の補正に有利となる。
【００１８】
また、以下の条件式（３）を満足することが好ましい。
−２．５  ＜  ｆ２／ｆｗ  ＜  −１．０  （３）
ただし、
ｆ２は、第２レンズ群の焦点距離、
ｆｗは、広角端でのズームレンズ全系の焦点距離
である。
条件式（３）は広角端でのズームレンズ全系の焦点距離に対する第２レンズ群の焦点距離の好ましい範囲を特定したものである。
下限を下回らないように第２レンズ群の負の屈折力を確保することで、広角端から望遠端への変倍における第２レンズ群前後の間隔変化を小さくしやすくなる。それにより、ズームレンズの鏡筒のコンパクト化に有利となる。
上限を上回らないように第２レンズ群の負の屈折力を適度に抑えることで、第２レンズ群における諸収差の補正に有利となる。
【００２０】
また、第２レンズ群中の最も像側に配置されたメニスカスレンズが少なくとも１面の非球面を有するメニスカスレンズであることが好ましい。
像面湾曲等の補正に有利となる。
【００２１】
また、第２レンズ群中の物体側副レンズ群は、負メニスカスレンズを含む１つの負メニスカスレンズ成分からなり、第２レンズ群中の像側副レンズ群は、物体側から順に、正メニスカスレンズを含む物体側メニスカスレンズ成分と負メニスカスレンズを含に負屈折力の像側メニスカスレンズ成分の２つのレンズ成分からなることが好ましい。
第２レンズ群を３つのレンズ成分で構成することで、第２レンズ群のサイズを抑えつつ、空気接触面による屈折作用を確保でき、光学性能を確保しやすくなる。
【００２２】
更には、第２レンズ群中の像側副レンズ群における前記物体側レンズ成分の像側面と前記像側レンズ成分の物体側面の距離が、光軸上よりも周辺にて短いことが好ましい。
像側レンズ成分による負屈折力の確保と物体側レンズ成分の凸面による諸収差をキャンセルする機能の双方を確保しつつ、第２レンズ群における十分な負屈折力の確保に有利となる。
【００２３】
また、第２レンズ群中の像側副レンズ群中の物体側レンズ成分が、物体側から順に、負メニスカスレンズと正メニスカスレンズからなることが、色収差補正のためにいっそう好ましい。
【００２４】
また、第２レンズ群中の物体側副レンズ群は負メニスカスレンズ１枚からなり、第２レンズ群中の像側副レンズ群中の物体側レンズ成分は正メニスカスレンズを含む複数のメニスカスレンズを接合した接合レンズ成分であり、像側レンズ成分は負メニスカスレンズ１枚からなることが好ましい。
低コスト化と諸収差の補正の両立に有利となる。
【００２５】
また、第２レンズ群中の物体側よりの屈折面は広角端と望遠端にて有効径の変化が大きくなる。そのため、第２レンズ群において、物体側のレンズ面、物体側から２番目のレンズ面、物体側から３番目のレンズ面のうちのいずれかのレンズ面を非球面とすることで、広角側における軸外収差と望遠側の球面収差の補正の両立に有利となる。
【００２６】
また、第２レンズ群は、物体側から像側に順に、物体側副レンズ群中の負メニスカスレンズ、像側副レンズ群中の正メニスカスレンズ、像側副レンズ群中の負メニスカスレンズの３枚のレンズからなる構成とすると、小型化やコスト低減に有利となる。
【００２７】
また、以下の条件式（４）、（５）を満足することが好ましい。
０．２６  ＜  １ＧＵＹ／ｆｗ  ＜  ０．３５  （４）
０．２５  ＜  ３ＧＵＹ／ｆ３  ＜  ０．５０  （５）
ただし、
１ＧＵＹは、広角端での第１レンズ群の最も物体側の屈折面に入射する軸上マージナル光線の光軸からの高さ、
３ＧＵＹは、広角端での像側レンズグループの最も物体側の屈折面に入射する軸上マージナル光線の光軸からの高さ、
ｆ３は、像側レンズグループ中の最も物体側のレンズ群の焦点距離
である。
もしくは、以下の条件式（４）、（６）を満足することが好ましい。
０．２６  ＜  １ＧＵＹ／ｆｗ  ＜  ０．３５  （４）
０．７  ＜  ３ＧＵＹ／ｆｗ  ＜  １．４０    （６）
条件式（４）は、広角端での好ましいＦ値を特定するものである。
下限を下回らないようにすることで、入射瞳サイズを確保でき、ノイズの低減、速いシャッタースピードの確保による被写体ブレの低減に有利となる。
上限を上回らないようにすることで、収差補正のためのレンズ枚数の増加を抑えやすくなる。
条件式（５）もしくは条件式（６）は、像側レンズグループにおける最も物体側のレンズ群で発生する収差の低減と明るさの確保とのバランスを良好とするためのものである。
条件式（５）もしくは条件式（６）の下限を下回らないようにして像側レンズグループに入射する軸上光束径を確保することで、条件式（４）を満足する明るさの確保を行いやすくなる。
条件式（５）もしくは条件式（６）の上限を上回らないようにすることで、像側レンズグループでの軸上光束径を制限し、収差の発生を抑えやすくなる。
【００２８】
また、以下の条件式（７）を満足することが好ましい。
８．０  ＜  ｆ１／ｆｗ  ＜  １２  （７）
ただし、
ｆ１は、第１レンズ群の焦点距離
である。
コンパクト化と光学性能のバランスの観点から、第１レンズ群の屈折力（焦点距離の逆数）に関し、条件式（７）を満足することが好ましい。
下限を下回らないようにして、第１レンズ群の屈折力を抑えることで、広角端での収差を抑制し、良好な光学性能の確保に有利となる。
上限を上回らないようにして、第１レンズ群の屈折力を確保することで、ズームレンズ全系の全長を小さくしやすくなり、鏡筒の小型化に有利となる。
【００２９】
また、上述の条件式（３）を満足する場合、更に、以下の条件式（８）を満足することが好ましい。
３．６  ＜  （β２ｔ／β２ｗ）＊（β３ｔ／β３ｗ）＊（β４ｔ／β４ｗ）  ＜  ５．２  （８）
ただし、
β２ｗは、第２レンズ群の広角端での倍率、
β２ｔは、第２レンズ群の望遠端での倍率、
β３ｗは、像側レンズグループ中の最も物体側のレンズ群の広角端での倍率、
β３ｔは、像側レンズグループ中の最も物体側のレンズ群の望遠端での倍率、
β４ｗは、像側レンズグループ中の物体側から２番目のレンズ群の広角端での倍率、
β４ｔは、像側レンズグループ中の物体側から２番目のレンズ群の望遠端での倍率
である。
条件式（８）は第１レンズ群から第４レンズ群（像側レンズグループ中の物体側から２番目のレンズ群）までの合成系における好ましい変倍比を特定するものである。
条件式（３）と条件式（８）を同時に満足することで、第２レンズ群の変倍負担をより最適にでき、ズームレンズのサイズを抑えながら収差補正、変倍比確保に有利となる。
条件式（８）の下限を下回らないようにすることで、ズーミングによる画角の変化域を確保でき、さまざまな撮影場面に対応した撮影が可能となる。
条件式（８）の上限を上回らないようにすることで、第２レンズ群前後の間隔変化を小さくでき、小型化に有利となる。もしくは、ズーミングにおける収差の変動を抑えられ、ズームレンズ中のレンズ枚数の低減に有利となる。
【００３０】
また、以下の条件式（９）を満足することが好ましい。
２．３  ＜  ｆ３／ｆｗ  ＜  ３．０    （９）
ただし、
ｆ３は、像側レンズグループ中の最も物体側のレンズ群の焦点距離
である。
下限を下回らないようにすることで、第３レンズ群（像側レンズグループ中の最も物体側のレンズ群）の屈折力を抑え収差補正を行いやすくなる。
上限を上回らないようにすることで、第３レンズ群での変倍作用を確保しやすくなり、望遠端でのズームレンズ全長を小さくしやすくなる。また像面から射出瞳までの距離の変動量も低減できる。撮像素子を用いた場合、軸外光束の撮像面への入射角変動を小さくでき、シェーディング等の影響を低減しやすくなる。
【００３１】
また、以下の条件式（１０）を満足することが好ましい。
３．５  ＜  ｆ４／ｆｗ  ＜  ９．５  （１０）
ただし、
ｆ４は、像側レンズグループ中の物体側から２番目のレンズ群の焦点距離
である。
第４レンズ群（像側レンズグループ中の物体側から２番目のレンズ群）の屈折力が条件式（１０）の下限を下回らず且つ上限を上回らないようにすることで、非点収差と歪曲収差の双方の補正に有利となる。
【００３２】
このとき、第４レンズ群（像側レンズグループ中の物体側から２番目のレンズ群）はプラスチック材料で形成してもよい。第４レンズ群は、変倍時の移動により射出瞳の位置を調整し、撮像素子に効率よく光線を入射させることが可能である。そのような役割のためには、上述した条件式（１０）の範囲内に屈折力が設定されていれば比較的大きなパワーは必要とせず、プラスチックレンズのような屈折率の低い硝材を用いて構成することも可能である。第４レンズ群中にプラスチックレンズを配置すれば、コストの低減に有利となる。加えて、プラスチックレンズは非球面加工が容易であるため、軸外収差補正にも有利となる。
【００３３】
また、以下の条件式（１１）を満足することが好ましい。
９．２  ＜  Ｌｗ／ｆｗ  ＜  １１．２  （１１）
ただし、
Ｌｗは、広角端でのズームレンズの全長
である。
下限を下回らないようにすることで、第２レンズ群と像側レンズグループの間の変倍のためのスペースを確保しやすくなる。
上限を上回らないようにすることで、広角端におけるズームレンズ全長を抑え、鏡筒の厚さ方向のサイズの小型化に有利となる。加えて、第１レンズ群における有効径を小さくできるので、ズームレンズの径方向の小型化にも有利となる。
【００３４】
また、以下の条件式（８）、（１２）を満足することが好ましい。
３．６  ＜  （β２ｔ／β２ｗ）＊（β３ｔ／β３ｗ）＊（β４ｔ／β４ｗ）  ＜  ５．２  （８）
０．２２  ＜  （β２ｔ／β２ｗ）／（β３ｔ／β３ｗ）  ＜  ０．６３  （１２）
ただし、
β２ｗは、第２レンズ群の広角端での倍率、
β２ｔは、第２レンズ群の望遠端での倍率、
β３ｗは、像側レンズグループ中の最も物体側のレンズ群の広角端での倍率、
β３ｔは、像側レンズグループ中の最も物体側のレンズ群の望遠端での倍率、
β４ｗは、像側レンズグループ中の物体側から２番目のレンズ群の広角端での倍率、
β４ｔは、像側レンズグループ中の物体側から２番目のレンズ群の望遠端での倍率
である。
条件式（８）は、前述の通り、第１レンズ群から第４レンズ群（像側レンズグループ中の物体側から２番目のレンズ群）までの合成系における好ましい変倍比を特定するものである。
条件式（８）を満足し、さらに条件式（１２）を満足することが好ましい。
条件式（１２）の下限を下回らないようにすることで、第３レンズ群（像側レンズグループ中の最も物体側のレンズ群）の移動量を小さくでき、鏡筒サイズの小型化に有利となる。もしくは、第３レンズ群の屈折力を抑えることによる収差、特に望遠端での球面収差等の軸上収差の低減に有利となる。
条件式（１２）の上限を上回らないようにして第２レンズ群の変倍負担を抑えることで、ズームレンズ全長の短縮化及びズームレンズの径の小型化に有利となる。もしくは、第２レンズ群での収差、特に望遠端での像面湾曲や倍率色収差などの軸外諸収差の発生を抑えやすくなる。
【００３５】
また、以下の条件式（１３）を満足することが好ましい。
１．４  ＜  β２ｔ／β２ｗ  ＜  １．８  （１３）
下限を下回らないようにすることで、第２レンズ群以外のレンズ群の変倍負担を軽減できる。例えば、第３レンズ群の変倍負担を抑えることで、望遠端での球面収差等の発生を抑えやすくなる。第４レンズ群の変倍負担を抑えることで、第４レンズ群の屈折力を小さくでき、非点収差の補正過剰を抑えやすくなる。
上限を上回らないようにすることで、第２レンズ群の屈折力を抑えられ、収差、特に望遠端での像面湾曲や倍率色収差などの軸外諸収差の発生を抑えやすくなる。
【００３６】
また、以下の条件式（１４）を満足することが好ましい。
２．７  ＜  β３ｔ／β３ｗ  ＜  ７．２  （１４）
下限を下回らないようにすることで、第３レンズ群以外のレンズ群の変倍負担を軽減できる。例えば、第２レンズ群の変倍負担を小さくすることで、望遠端での像面湾曲や倍率色収差などの軸外諸収差低減に有利となる。第４レンズ群の変倍負担を抑えることで、第４レンズ群の屈折力を小さくでき、非点収差の補正過剰を抑えやすくなる。
上限を上回らないようにすることで、第３レンズ群の屈折力を抑えられ、収差、特に望遠端での球面収差等の軸上収差の発生を抑えやすくなる。
【００３７】
また、以下の条件式（１５）を満足することが好ましい。
０．３  ＜  β４ｔ／β４ｗ  ＜  ０．９  （１５）
下限を下回らないようにすることで、第４レンズ群以外のレンズ群の変倍負担を軽減できる。例えば、第２レンズ群の変倍負担を小さくすることで、望遠端での像面湾曲や倍率色収差などの軸外諸収差低減に有利となる。第３レンズ群の変倍負担を抑えることで、望遠端での球面収差等の発生を抑えやすくなる。
上限を上回らないようにして、第４レンズ群の屈折力を低減しやすくなり、第４レンズ群のレンズ枚数の低減等に有利となる。加えて、第４レンズ群をフォーカシング時に移動させる場合は、フォーシングにおける像面湾曲の変動の低減に有利となる。
【００３８】
また、以下の条件式（８）、（１６）を満足することが好ましい。
３．６  ＜  （β２ｔ／β２ｗ）＊（β３ｔ／β３ｗ）＊（β４ｔ／β４ｗ）  ＜  ５．２  （８）
２．７  ＜  Ｄ２ｗ／ｆｗ  ＜  ４．５  （１６）
ただし、
Ｄ２ｗは、広角端における第２レンズ群と第３レンズ群の間の光軸上での距離
である。
条件式（８）は、前述の通り、第１レンズ群から第４レンズ群（像側レンズグループ中の物体側から２番目のレンズ群）までの合成系における好ましい変倍比を特定するものである。
条件式（８）を満足し、さらに条件式（１６）を満足することが好ましい。
下限を下回らないようにすることで、第２レンズ群と像側レンズグループの間の距離の変化量を確保でき、変倍比の確保に有利となる。
上限を上回らないようにすることで、広角端にてズームレンズ全長を小さくでき、第１レンズ群と第２レンズ群の有効径が小さくなり小型化に有利となる。
【００３９】
また、以下の条件式（１７）を満足することが好ましい。
１．３  ＜  delt３Ｇ／ｆｗ  ＜  ２．５  （１７）
ただし、
delt３Ｇは、広角端から望遠端における像側レンズグループ中の最も物体側のレンズ群の移動量
である。
下限を下回らないようにすることで、第３レンズ群（像側レンズグループ中の最も物体側のレンズ群）での収差発生を抑えつつ十分な変倍機能の確保に有利となる。
上限を上回らないようにすることで、望遠端におけるズームレンズ全長を小さくでき、ズームレンズを保持する鏡筒の小型化につながる。
【００４０】
また、像側レンズグループ中の最も物体側のレンズ群の物体側直前の空気間隔からそのレンズ群の像側面までの何れかに配置された明るさ絞りを有し、広角端から望遠端への変倍の際に、その明るさ絞りはそのレンズ群と一体で移動することが好ましい。
明るさ絞りを第３レンズ群（像側レンズグループ中の最も物体側のレンズ群）の近傍に配置することにより、第３レンズ群に十分は屈折力を持たせながら径方向の小型化が可能となる。加えて、変倍の際の第３レンズ群での光線高の変化を少なくできるので、変倍の際の収差変動の低減に有利となる。
【００４１】
また、第１レンズ群は１つのレンズ成分からなることが好ましい。
第１レンズ群も第２レンズ群と同様、軸外光線の光軸上からの高さが高くなるので、レンズのふち肉を必要な量確保しようとするとき、軸上肉厚が厚くなりやすい。また、第１レンズ群を構成するレンズ枚数が多くなると、入射瞳の位置が物体側から見て遠くなる。そのため、軸外光線高さはますます高くなり、ふち肉確保のための軸上肉厚はより厚みが必要となる。当然、レンズ枚数が増えた分の軸上肉厚も大きくなってしまう。そのため、第１レンズ群を１つのレンズ成分で構成することによりコンパクト化に有利となる。
【００４２】
更には、第１レンズ群は、負レンズと正レンズを接合した接合レンズ成分としても良い。接合レンズ成分により、高変倍比化による望遠端の長焦点化の際に問題となり易い軸上色収差補正を効果的に行うことができる。加えて、レンズ同士の相対偏心による光学性能の劣化を抑えることができ、歩留まりの向上やコストダウンに有利となる。
【００４３】
また、ズームレンズの像側に撮像面を持つ撮像素子が配置され、以下の条件式（１８）、（１９）を満足することが好ましい。
０．７２５  ＜  ＩＨ／ｆｗ  ＜  ０．８  （１８）
−０．２  ＜  Ｄ２ｗ／Ｌ１１ｒ  ＜  ０．２  （１９）
ただし、
ＩＨは、撮像面における軸外光線の最大光線高、
Ｌ１１ｒは、第１レンズ群の最も像側の屈折面の近軸曲率半径
である。
条件式（１８）は好ましい画角を特定するものである。
下限を下回らないようにすることで、被写界深度を長くできるとともに、遠近感を誇張した撮影に有利となる。
上限を上回らないようにすることで、第１レンズ群の有効径を小さくでき、ズームレンズの小径化に有利となる。
条件式（１８）を満足し、且つ条件式（１９）を満足することが好ましい。
下限を下回らないようにすることで、広角端における軸外光束が第１レンズ群の像側面に入射する際の入射角を小さくしやすくなり、収差の発生を低減できる。
上限を上回らないようにすることで、第１レンズ群おける球面収差の補正に有利となる。加えて、第１レンズ群に十分な正屈折力を持たせやすくなり、小型化等に有利となる。
【００４４】
また、第２レンズ群は少なくともひとつの非球面レンズを有することが好ましい。
第２レンズ群は、広角端の軸外光線高と望遠端の軸外光線高の差が大きい為、少なくとも１面の非球面を用いることで、広角端と望遠端での収差補正が容易になる。
【００４５】
また、像側レンズグループ中の物体側から２番目のレンズ群は少なくともひとつの非球面レンズを有することが好ましい。
このレンズ群は、広角端の軸外光線高と望遠端の軸外光線高の差が大きい為、少なくとも１面の非球面を用いることで、広角端と望遠端での収差補正が容易になる。
【００４６】
また、第３レンズ群（像側レンズグループ中の最も物体側のレンズ群）は、物体側から順に、物体側に凸の正レンズ成分と物体側に凸のメニスカスレンズ成分を有し、そのメニスカスレンズ成分は、正レンズと負レンズを含む複数のレンズを有することが好ましい。
このレンズ群に入射する軸上光束の発散を弱め、第３レンズ群の小径化に有利となる。加えて、第２レンズ群と第３レンズ群との合成系において、第３レンズ群中の正レンズ成分の物体側のレンズ成分と像側のレンズ成分とが対称的なメニスカス形状となるので望遠端での球面収差等の補正に有利となる。
第３レンズ群中のメニスカスレンズ成分を正レンズと負レンズを含む複数のレンズを有する接合レンズ成分とすることで、色収差の補正に有利となる。
【００４７】
更に、第３レンズ群におけるメニスカスレンズ成分は、物体側に凸の複数のメニスカスレンズからなることが好ましい。
第３レンズ群の小型化と共に、接合面における軸上光束の入射角を小さくできる。
【００４８】
更に、第３レンズ群におけるメニスカスレンズ成分は、物体側に凸の３枚のメニスカスレンズからなることが好ましい。
色収差の補正にいっそう有利となる。
【００４９】
また、第３レンズ群中のメニスカスレンズ成分の像側に、物体側に凹面を向けた正屈折力のメニスカスレンズ成分が配置されることが好ましい。
第３レンズ群における球面収差の低減や、第２レンズ群と第３レンズ群との合成系における対称性の向上による光学性能の向上に有利となる。
【００５０】
また、第１レンズ群と第３レンズ群（像側レンズグループ中の最も物体側のレンズ群）は、広角端に対して望遠端にて物体側に近づくことが好ましい。
第２レンズ群と第３レンズ群における十分な変倍機能を確保できる。また、広角端でのズームレンズ全長が小さくなるので、径方向の小型化に有利となる。また、起動時の第１レンズ群の繰り出し量を小さくできるので、起動時の省エネルギーにつながる。
第１レンズ群は物体側へのみ移動させても良いし、像側に凸の軌跡で移動させても良い。第２レンズ群は像側へのみ移動させても良いし、像側に凸の軌跡で移動させても良い。第３レンズ群は物体側へのみに移動させるのが良い。第４レンズ群は物体側へのみ移動させても良いし、像側へのみ移動させても良い。あるいは物体側に凸、または像側に凸の軌跡で移動させても良い。
【００５１】
またゴースト、フレア等の不要光をカットするために、明るさ絞り以外にフレア絞りを配置してもかまわない。第１レンズ群の物体側、第１、２レンズ群間、第２、３レンズ群間、第３、４レンズ群間、第４レンズ群から像面間のいずれの場所に配置しても良い。枠部材によりフレア光線をカットするように構成しても良いし、別の部材を構成しても良い。また光学系に直接印刷、塗装してもよい。シールなどを接着してもかまわない。またその形状は円形、楕円形、矩形、多角形、関数曲線で囲まれる範囲等、いかなる形状でもかまわない。また有害光束をカットするだけでなく画面周辺のコマフレア等の光束をカットしても良い。
また各レンズには反射防止コートを行い、ゴースト、フレアを軽減してもかまわない。マルチコートであれば効果的にゴースト、フレアを軽減できるので望ましい。また赤外カットコートをレンズ面、カバーガラス等に行ってもかまわない。
【００５２】
またピント調節を行うためのフォーカシングはもっとも像側のレンズ群で行うことが望ましい。第４レンズ群はレンズ重量を軽量にできるのでフォーカシングの際のモーターにかかる負荷が少ない。さらに、フォーカシング時に全長が変化せず、鏡枠内部に駆動モーターを配置できるため、鏡枠のコンパクト化に有利となる。上述のように最も像側のレンズ群をフィーカシング時に移動させることが望ましいが、第１、２、３レンズ群でフォーカシングを行っても良い。また複数のレンズ群を移動してフォーカシングを行っても良い。またレンズ系全体を繰り出してフォーカスを行っても良いし、一部のレンズの繰り出し、もしくは繰り込みによりフォーカシングしても良い。
【００５３】
また、本発明の撮像装置は、上述のいずれかのズームレンズと、その像側に配置され、ズームレンズにより形成された像を撮像する撮像面を持ち、その像を電気信号に変換する撮像素子とを有する。
それにより、画角を確保しつつ変倍比と明るさを両立できるズームレンズを備えた撮像装置を提供できる
【００５４】
また撮影画像の周辺部の明るさのかげり（シェーディング）を撮像素子の撮像面直前のマイクロレンズをシフトすることにより軽減しても良い。例えば、各像高における光線の入射角に合わせて撮像素子のマイクロレンズの設計を変えても良い。また画像処理により画像周辺部の低下量を補正しても良い。
また意図的に光学系で歪曲収差を出しておき、撮影後に電気的に画像処理を行って歪みを補正してもかまわない。
【００５５】
上述の各構成や条件式は、それらのうちの複数を同時に満足することがより好ましい。
また、ズームレンズがフォーカシング機構を備える場合は、上述の各構成、条件式はズームレンズが最も遠距離に合焦した状態での構成とする。
【００５６】
また、上述の各条件式について、更に以下のようにすると、その機能をより確実にでき好ましい。
【００５７】
条件式（Ａ）について、
下限値を−４．５とすることがより好ましい。
上限値を−２．０、更には−２．５とすることがより好ましい。
【発明の効果】
【００５８】
本発明によれば、画角を確保しつつ変倍比と明るさを両立できるズームレンズを提供できる。
更には、そのようなズームレンズを備えた撮像装置を提供できる。
【図面の簡単な説明】
【００５９】
【図１】本発明のズームレンズの実施例１の無限遠物点合焦時の広角端でのレンズ断面図と広角端から望遠端にかけての各レンズ群の移動方式を表す図である。
【図２】本発明のズームレンズの実施例２の図１と同様の図である。
【図３】本発明のズームレンズの実施例３の図１と同様の図である。
【図４】本発明のズームレンズの実施例４の図１と同様の図である。
【図５】本発明のズームレンズの実施例５の図１と同様の図である。
【図６】本発明のズームレンズの実施例６の図１と同様の図である。
【図７】本発明のズームレンズの実施例７の図１と同様の図である。
【図８】本発明のズームレンズの実施例８の図１と同様の図である。
【図９】本発明のズームレンズの実施例９の図１と同様の図である。
【図１０】本発明のズームレンズの実施例１０の図１と同様の図である。
【図１１】本発明のズームレンズの実施例１１の図１と同様の図である。
【図１２】本発明のズームレンズの実施例１２の図１と同様の図である。
【図１３】本発明のズームレンズの実施例１３の図１と同様の図である。
【図１４】本発明のズームレンズの実施例１４の図１と同様の図である。
【図１５】本発明のズームレンズの実施例１５の図１と同様の図である。
【図１６】本発明のズームレンズの実施例１６の図１と同様の図である。
【図１７】本発明のズームレンズの実施例１７の図１と同様の図である。
【図１８】実施例１の無限遠距離合焦時の収差図である。
【図１９】実施例２の無限遠距離合焦時の収差図である。
【図２０】実施例３の無限遠距離合焦時の収差図である。
【図２１】実施例４の無限遠距離合焦時の収差図である。
【図２２】実施例５の無限遠距離合焦時の収差図である。
【図２３】実施例６の無限遠距離合焦時の収差図である。
【図２４】実施例７の無限遠距離合焦時の収差図である。
【図２５】実施例８の無限遠距離合焦時の収差図である。
【図２６】実施例９の無限遠距離合焦時の収差図である。
【図２７】実施例１０の無限遠距離合焦時の収差図である。
【図２８】実施例１１の無限遠距離合焦時の収差図である。
【図２９】実施例１２の無限遠距離合焦時の収差図である。
【図３０】実施例１３の無限遠距離合焦時の収差図である。
【図３１】実施例１４の無限遠距離合焦時の収差図である。
【図３２】実施例１５の無限遠距離合焦時の収差図である。
【図３３】実施例１６の無限遠距離合焦時の収差図である。
【図３４】実施例１７の無限遠距離合焦時の収差図である。
【図３５】本発明によるデジタルカメラの外観を示す前方斜視図である。
【図３６】図３５のデジタルカメラの後方図である。
【図３７】図３５のデジタルカメラの部分透視図である。
【図３８】図３５のデジタルカメラの主要部の内部回路の構成ブロック図である。
【発明を実施するための形態】
【００６０】
以下に本発明に基づく実施の形態について説明する。いずれの実施例も、上述のような工夫を施すことで、広い広角端画角をもち、明るく、光学性能も良好なズームレンズを提供している。
また、各実施例のズームレンズは、デジタルカメラの撮影レンズに用いると、広画角で、明るく、光学性能の優れたデジタルカメラを構成できる。監視カメラやビデオカメラに用いてもよい。
【００６１】
具体的には、各実施例は、Ｆ値が広角端で１．８程度と明るく、広角端での画角が７５°程度と広く、ズーム比が４倍程度を有し、結像性能が高く、沈胴時の薄型化も図れるコンパクトなズームレンズとなっている。
このようなズームレンズを撮像装置に搭載することにより、携帯性を損なうことなくさまざまな撮影シーンに対応でき、結像性能も良好な撮像装置となる。
【００６２】
以下に示す各実施例は、デジタルカメラのズームレンズおよびそれを備えた撮像装置の例である。実施例１〜１７は全変倍域にて有効撮像領域は矩形で一定である。各実施形態での条件式対応値は無限遠物点に合焦した状態での値である。全長は、レンズの入射面から射出面までの光軸上の距離にバックフォーカスＢＦを加えたものである。バックフォーカスＢＦは、空気換算長で示している。
【００６３】
以下に、本発明に係るズームレンズ、撮像装置の実施例を図面に基づいて詳細に説明する。なお、この実施例によりこの発明が限定されるものではない。
【００６４】
図１から図１７は、本発明のズームレンズの実施例１から１７の無限遠物点合焦時の広角端でのレンズ断面図と広角端から望遠端にかけての各レンズ群の移動方式を表す図である。
各実施例のズームレンズは、物体側から像側へ順に、正屈折力の第１レンズ群Ｇ１、負屈折力の第２レンズ群Ｇ２、正屈折力の第３レンズ群Ｇ３、正屈折力の第４レンズ群Ｇ４を有して構成されている。明るさ絞りＳは第３レンズ群Ｇ３近傍もしくは第３レンズ群Ｇ３中に配置され、広角端から望遠端への変倍時には第３レンズ群Ｇ３と一体で移動する。第３レンズ群Ｇ３と第４レンズ群Ｇ４が像側レンズグループＧＩを構成する。
第４レンズ群Ｇ４の像側には、ＩＲカットコートを施したローパスフィルターＦとＣＣＤ（あるいはＣＭＯＳ等）のカバーガラスＣが配置され、ＣＣＤの撮像面上に像面Ｉが形成される。
【００６５】
各実施例の広角端から望遠端にかけての移動方式は図１から図１７の矢印にて示している。
第１レンズ群Ｇ１は広角端での位置に対して望遠端にて物体側よりに位置するように、像側に移動後物体側に移動する。第２レンズ群Ｇ２は広角端での位置に対して望遠端にて像側よりに位置するように像側に移動後物体側に移動する。もしくは、第２レンズ群Ｇ２は像側にのみ移動する。第３レンズ群Ｇ３は物体側にのみ移動する。第４レンズ群Ｇ４は第３レンズ群との距離を変えながら広角端よりも望遠端にて物体側に位置するように移動する。
第１レンズ群Ｇ１と第２レンズ群Ｇ２との間の距離は、広角端から望遠端にかけて常に拡大する。
第２レンズ群Ｇ２と第３レンズ群Ｇ３との間の距離は、広角端から望遠端にかけて常に縮小する。
第４レンズ群Ｇ４を物体側に移動させることで無限遠距離から至近距離へのフォーカシングを行う。
【００６６】
明るさ絞りＳは開口サイズが可変の開口部をもち、Ｆナンバーを変更可能としている。（後述する数値実施例のＦナンバーは変更可能の範囲での最小Ｆナンバーを示している。）
【００６７】
以下、各実施例における各レンズ群内の構成について説明する。
【００６８】
実施例１におけるズームレンズは、図１および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、両面が非球面であり像側に凹面を向けた負メニスカスレンズと、両面が非球面であり物体側に凹面を向けた正メニスカスレンズと、物体側に凹面を向けた負メニスカスレンズからなる。物体側の負メニスカスレンズにて物体側副レンズ群を構成し、像側の２つのレンズにて像側副レンズ群を構成している。
第３レンズ群Ｇ３は、物体側から順に、両面が非球面であり物体側に凸面を向けた正メニスカスレンズと、物体側に凸面を向けた正メニスカスレンズと物体側に凸面を向けた負メニスカスレンズと像側面が非球面であり物体側に凸面を向けた正メニスカスレンズの接合トリプレットレンズ成分からなる。
第４レンズ群Ｇ４は、物体側面が非球面である両凸正レンズからなる。
明るさ絞りＳは第３レンズ群Ｇ３の１番目のレンズと２番目のレンズの間に配置される。
【００６９】
実施例２におけるズームレンズは、図２および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、両面が非球面であり像側に凹面を向けた負メニスカスレンズと、物体側に凹面を向けた正メニスカスレンズと、両面が非球面であり物体側に凹面を向けた負メニスカスレンズからなる。物体側の負メニスカスレンズにて物体側副レンズ群を構成し、像側の２つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分からなる。
第４レンズ群Ｇ４は、物体側から順に、物体側面が非球面である両凸正レンズと物体側に凹面を向けた負メニスカスレンズとの接合レンズ成分からなる。
明るさ絞りＳは第３レンズ群Ｇ３の１番目のレンズの物体側に配置される。
【００７０】
実施例３におけるズームレンズは、図３および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、両面が非球面であり像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分からなる。
第４レンズ群Ｇ４は、物体側から順に、物体側面が非球面である両凸正レンズと物体側に凹面を向けた負メニスカスレンズとの接合レンズ成分からなる。
明るさ絞りＳは第３レンズ群Ｇ３の１番目のレンズの物体側に配置される。
【００７１】
実施例４におけるズームレンズは、図４および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、両面が非球面であり像側に凹面を向けた負メニスカスレンズと、物体側に凹面を向けた正メニスカスレンズと、両面が非球面であり物体側に凹面を向けた負メニスカスレンズからなる。物体側の負メニスカスレンズにて物体側副レンズ群を構成し、像側の２つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分と、物体側に凹面を向けた正メニスカスレンズからなる。
第４レンズ群Ｇ４は、物体側から順に、物体側面が非球面である両凸正レンズと物体側に凹面を向けた負メニスカスレンズとの接合レンズ成分からなる。
明るさ絞りＳは第３レンズ群Ｇ３の１番目のレンズの物体側に配置される。
【００７２】
実施例５におけるズームレンズは、図５および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、物体側面が非球面であり像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分と、物体側に凹面を向けた正メニスカスレンズからなる。
第４レンズ群Ｇ４は、物体側から順に、物体側面が非球面である両凸正レンズと両凹負レンズとの接合レンズ成分からなる。
明るさ絞りＳは第３レンズ群Ｇ３の１番目のレンズの物体側に配置される。
【００７３】
実施例６におけるズームレンズは、図６および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、両面が非球面であり像側に凹面を向けた負メニスカスレンズと、物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分と、物体側に凹面を向けた正メニスカスレンズからなる。
第４レンズ群Ｇ４は、物体側から順に、物体側面が非球面である両凸正レンズと両凹負レンズとの接合レンズ成分からなる。
明るさ絞りＳは第３レンズ群Ｇ３の１番目のレンズの物体側に配置される。
【００７４】
実施例７におけるズームレンズは、図７および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、物体側面が非球面であり物体側に凸面を向けた正メニスカスレンズと、物体側面が非球面であり物体側に凸面を向けた正メニスカスレンズと物体側に凸面を向けた負メニスカスレンズとの接合レンズ成分と、像側面が非球面であり物体側に凸面を向けた正メニスカスレンズからなる。
第４レンズ群Ｇ４は、物体側から順に、物体側面が非球面である両凸正レンズと物体側に凹面を向けた負メニスカスレンズとの接合レンズ成分からなる。
明るさ絞りＳは第３レンズ群Ｇ３の１番目のレンズの物体側に配置される。
【００７５】
実施例８におけるズームレンズは、図８および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、物体側面が非球面であり像側に凹面を向けた負メニスカスレンズと、物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと物体側に凸面を向けた負メニスカスレンズとの接合レンズ成分と、物体側に凹面を向けた正メニスカスレンズからなる。
第４レンズ群Ｇ４は、物体側から順に、物体側面が非球面であり物体側に凸面を向けた正メニスカスレンズと物体側に凸面を向けた負メニスカスレンズとの接合レンズ成分からなる。
明るさ絞りＳは第３レンズ群Ｇ３の１番目のレンズの物体側に配置される。
【００７６】
実施例９におけるズームレンズは、図９および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと像側面が非球面であり物体側に凸面を向けた負メニスカスレンズとの接合レンズ成分からなる。
第４レンズ群Ｇ４は、像側面が非球面である両凸正レンズからなる。
明るさ絞りＳは第３レンズ群Ｇ３の１番目のレンズの物体側に配置される。
【００７７】
実施例１０におけるズームレンズは、図１０および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面であり物体側に凸面を向けた正メニスカスレンズと、物体側に凸面を向けた正メニスカスレンズと物体側に凸面を向けた負メニスカスレンズと像側面が非球面であり物体側に凸面を向けた正メニスカスレンズとの接合レンズ成分からなる。
第４レンズ群Ｇ４は、像側面が非球面である両凸正レンズからなる。
明るさ絞りＳは第３レンズ群Ｇ３の１番目のレンズの物体側に配置される。
【００７８】
実施例１１におけるズームレンズは、図１１および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと像側面が非球面であり物体側に凸面を向けた負メニスカスレンズとの接合レンズ成分からなる。
第４レンズ群Ｇ４は、像側面が非球面である両凸正レンズからなる。
明るさ絞りＳは第３レンズ群Ｇ３の１番目のレンズの物体側に配置される。
【００７９】
実施例１２におけるズームレンズは、図１２および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた正メニスカスレンズと像側面が非球面であり物体側に凹面を向けた負メニスカスレンズとの接合レンズ成分からなる。物体側の負メニスカスレンズにて物体側副レンズ群を構成し、像側の２つのレンズにて像側副レンズ群を構成している。
第３レンズ群Ｇ３は、物体側から順に、両面が非球面であり物体側に凸面をむけた正メニスカスレンズと、物体側に凸面を向けた正メニスカスレンズと物体側に凸面を向けた負メニスカスレンズと像側面が非球面であり物体側に凸面を向けた正メニスカスレンズとの接合トリプレットレンズ成分からなる。
第４レンズ群Ｇ４は、物体側面が非球面であり物体側に凸面を向けた正メニスカスレンズと物体側に凸面を向けた正メニスカスレンズとの接合レンズ成分からなる。
明るさ絞りＳは第３レンズ群Ｇ３の１番目のレンズと２番目のレンズとの間に配置される。
【００８０】
実施例１３におけるズームレンズは、図１３および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズとからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側面が非球面であり物体側に凸面を向けた正メニスカスレンズと像側面が非球面であり物体側に凸面を向けた負メニスカスレンズとの接合レンズ成分からなる。
第４レンズ群Ｇ４は、物体側面が非球面である両凸正レンズと物体側に凹面を向けた負メニスカスレンズとの接合レンズ成分からなる。
明るさ絞りＳは第３レンズ群Ｇ３の１番目のレンズの物体側に配置される。
【００８１】
実施例１４におけるズームレンズは、図１４および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた正メニスカスレンズと物体側に凹面を向けた正メニスカスレンズとの接合レンズ成分と、像側面が非球面であり物体側に凹面を向けた負メニスカスレンズとからなる。物体側の負メニスカスレンズにて物体側副レンズ群を構成し、像側の３つのレンズにて像側副レンズ群を構成している。
第３レンズ群Ｇ３は、物体側から順に、両面が非球面であり物体側に凸面を向けた正メニスカスレンズと、物体側に凸面を向けた正メニスカスレンズと物体側に凸面を向けた負メニスカスレンズと像側面が非球面であり物体側に凸面を向けた正メニスカスレンズとの接合トリプレットレンズ成分からなる。
第４レンズ群Ｇ４は、物体側面が非球面である両凸正レンズからなる。
明るさ絞りＳは第３レンズ群Ｇ３の１番目のレンズと２番目のレンズの間に配置される。
【００８２】
実施例１５におけるズームレンズは、図１５および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、像側面が非球面であり物体側に凹面を向けた負メニスカスレンズとからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側に凸面を向けた正メニスカスレンズと物体側に凸面を向けた負メニスカスレンズとの接合レンズ成分と、像側面が非球面である両凸正レンズからなる。
第４レンズ群Ｇ４は、物体側面が非球面であり物体側に凸面を向けた正メニスカスレンズからなる。
明るさ絞りＳは第３レンズ群Ｇ３の１番目のレンズと２番目のレンズの間に配置される。
【００８３】
実施例１６におけるズームレンズは、図１６および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズとからなる。物体側の負メニスカスレンズにて物体側副レンズ群を構成し、像側の３つのレンズにて像側副レンズ群を構成している。
第３レンズ群Ｇ３は、物体側から順に、物体側面が非球面であり物体側に凸面を向けた正メニスカスレンズと、物体側面が非球面である両凸正レンズと両凹負レンズとの接合レンズ成分と、像側面が非球面であり物体側に凸の正メニスカスレンズからなる。
第４レンズ群Ｇ４は、物体側面が非球面である両凸正レンズからなる。
明るさ絞りＳは第３レンズ群Ｇ３の１番目のレンズの物体側に配置される。
【００８４】
実施例１７におけるズームレンズは、図１７および後述する数値データにて示すように構成される。
第１レンズ群Ｇ１は、物体側から順に、物体側に凸面を向けた負メニスカスレンズと物体側に凸面を向けた正メニスカスレンズとの接合レンズ成分からなる。
第２レンズ群Ｇ２は、物体側から順に、像側に凹面を向けた負メニスカスレンズと、物体側面が非球面であり物体側に凹面を向けた負メニスカスレンズと物体側に凹面を向けた正メニスカスレンズとの接合レンズ成分と、両面が非球面であり物体側に凹面を向けた負メニスカスレンズとからなる。物体側の負メニスカスレンズにて物体側副レンズ群を構成し、像側の３つのレンズにて像側副レンズ群を構成している。
第３レンズ群Ｇ３は、物体側から順に、両面が非球面である両凸正レンズと、物体側に凸面を向けた正メニスカスレンズと像側面が非球面であり物体側に凸面を向けた負メニスカスレンズとの接合レンズ成分からなる。
第４レンズ群Ｇ４は、像側面が非球面である両凸正レンズからなる。
明るさ絞りＳは第３レンズ群Ｇ３の１番目のレンズの物体側に配置される。
【００８５】
以下、各実施例におけるレンズの数値データを示す。
各実施例におけるレンズの数値データにおいては、ｒは各レンズ面の曲率半径、ｄは各レンズの肉厚または間隔、ｎｄは各レンズのｄ線における屈折率、νｄは各レンズのｄ線におけるアッベ数、Kは円錐係数、A4、A6、A8、A10、A12は非球面係数、E±Nは×１０±Nをそれぞれ示している。
【００８６】
また、各非球面形状は、各実施例における各非球面係数を用いて、以下の式で表される。
Ｚ＝（Ｙ2／ｒ）／[１＋｛１−（１＋Ｋ）・（Ｙ／ｒ）2｝1/2]
＋A4×Ｙ4＋A6×Ｙ6＋A8×Ｙ8＋A10×Ｙ10＋A12×Ｙ12
ただし、光軸方向の座標をＺ、光軸と垂直な方向の座標をＹとする。
【００８７】
数値実施例１
単位     ｍｍ
面データ
面番号                    ｒ         ｄ        ｎｄ      νｄ
1                  37.684      1.00     1.94595    17.98
2                  31.796      3.39     1.72916    54.68
3                 948.679      可変
4（非球面）        54.555      0.90     1.88300    40.76
5（非球面）         7.868      5.98
6（非球面）       -53.340      2.02     2.10225    16.80
7（非球面）       -22.328      0.84
8                 -12.081      1.51     1.90366    31.31
9                 -20.074      可変
10（非球面）        10.462      2.64     1.49700    81.54
11（非球面）       113.388      0.90
12（明るさ絞り）      ∞        0.90
13                   6.547      1.73     1.49700    81.54
14                   6.849      0.90     1.92286    18.90
15                   4.831      1.73     1.51633    64.14
16（非球面）         9.078      可変
17（非球面）        16.301      2.03     1.51633    64.14
18                -360.201      可変
19                    ∞        0.50     1.54771    62.84
20                    ∞        0.50
21                    ∞        0.50     1.51633    64.14
22                    ∞        0.50
像面（撮像面）        ∞
非球面データ
第４面
K=0.000,A4=-3.90919E-27,A6=-1.19825E-27,A8=-3.86935E-27,A10=-6.04271E-27
第５面
K= 0.000,A4=-1.65992E-26,A6=-3.12524E-27,A8=-1.16173E-26,A10=-1.06715E-26
第６面
K=-1.621,A4=2.71664E-05,A6=9.25360E-07,A8=-1.41890E-08,A10=3.79303E-10
第７面
K=-0.753,A4=-5.31313E-05
第１０面
K=-0.523,A4=-4.71844E-06,A6=-1.17353E-07
第１１面
K=0.000,A4=-9.27701E-05 
第１６面
K=0.000,A4=9.69037E-04,A6=8.44119E-06,A8=1.13269E-06
第１７面
K=0.000,A4=-3.73740E-05,A6=-7.27209E-07,A8=4.55680E-08
ズームデータ
広角      中間      望遠
焦点距離       6.11     12.84     23.53 
ＦＮＯ．       1.85      2.25      2.69 
画角２ω      77.91     38.50     21.52 
d3           0.30      9.22     17.15 
d9          20.08      6.57      0.30 
d16          4.62      5.59      8.34 
d18          5.50      8.58     10.93 
BF           7.15     10.23     12.58 
全長          58.62     58.07     64.84 
【００８８】
数値実施例２
単位     ｍｍ
面データ
面番号                    ｒ         ｄ        ｎｄ      νｄ
1                  28.152      1.00     1.94595    17.98
2                  26.239      3.39     1.49700    81.54
3                 277.741      可変
4（非球面）        70.997      0.90     1.85135    40.10
5（非球面）         7.452      4.74
6                 -28.054      2.31     1.94595    17.98
7                 -14.620      0.95
8（非球面）       -11.976      1.50     1.80610    40.92
9（非球面）       -20.359      可変
10（明るさ絞り）      ∞        0.50
11（非球面）        10.653      4.77     1.49700    81.54
12（非球面）       -26.562      0.10
13（非球面）         8.165      2.64     1.49700    81.54
14                  26.193      0.80     1.69895    30.13
15                   6.537      可変
16（非球面）        18.399      2.16     1.49700    81.61
17                 -27.469      0.64     1.80810    22.76
18                 -32.639      可変
19                    ∞        0.50     1.54771    62.84
20                    ∞        0.50
21                    ∞        0.50     1.51633    64.14
22                    ∞        0.50
像面（撮像面）        ∞
非球面データ
第４面
K=1.977,A4=2.56780E-05,A6=4.51655E-07,A8=-3.76416E-09,A10=-3.74313E-12
第５面
K=-0.022,A4=-4.96885E-05,A6=1.79473E-06,A8=-2.72330E-08,A10=8.93946E-10
第８面
K=0.000,A4=-1.36237E-04,A6=1.21151E-06
第９面
K=5.120,A4=-9.99962E-05,A6=1.17524E-06
第１１面
K=-3.072,A4=2.65274E-04,A6=-1.57403E-06 
第１２面
K=0.000,A4=6.00700E-05,A6=-4.44494E-07
第１３面
K=0.000,A4=-7.97152E-05,A6=-1.67959E-06,A8=-4.92856E-09 
第１６面
K=0.000,A4=-6.70955E-05,A6=5.11353E-07,A8=3.96455E-09,A10=-3.26087E-11
ズームデータ
広角      中間      望遠
焦点距離       6.07     12.12     23.52 
ＦＮＯ．       1.85      2.16      2.55 
画角２ω      77.90     41.63     21.91 
d3           0.30      7.19     18.11 
d9          25.56      8.76      1.10 
d15          6.54      6.89     10.20 
d18          6.45     10.95     15.24 
BF           8.10     12.60     16.89 
全長          66.90     61.83     72.71 
【００８９】
数値実施例３
単位     ｍｍ
面データ
面番号                    ｒ         ｄ        ｎｄ      νｄ
1                  27.272      1.00     1.94595    17.98
2                  23.740      3.49     1.61800    63.33
3                 153.495      可変
4（非球面）       107.974      0.90     1.80610    40.92
5（非球面）         7.534      4.62
6（非球面）       -30.335      0.80     1.85135    40.10
7                 -54.852      2.09     1.92286    18.90
8                 -14.911      0.81
9（非球面）       -10.044      1.50     1.80610    40.92
10（非球面）       -20.517      可変
11（明るさ絞り）      ∞        0.50
12（非球面）        10.507      4.66     1.49700    81.54
13（非球面）       -23.445      0.10
14（非球面）         8.521      2.81     1.49700    81.54
15                  31.167      0.80     1.69895    30.13
16                   6.919      可変
17（非球面）        16.895      2.23     1.49700    81.61
18                 -24.284      0.68     1.80810    22.76
19                 -30.256      可変
20                    ∞        0.50     1.54771    62.84
21                    ∞        0.50
22                    ∞        0.50     1.51633    64.14
23                    ∞        0.50
像面（撮像面）        ∞
非球面データ
第４面
K=1.954,A4=1.81362E-04,A6=-1.02417E-06,A8=2.43575E-09
第５面
K=0.274,A4=1.86606E-05,A6=3.43354E-07,A8=3.67415E-08
第６面
K=-1.562,A4=-1.00678E-04,A6=-7.17132E-07,A8=7.37916E-08,A10=-1.11534E-09
第９面
K=0.000,A4=1.00254E-04
第１０面
K=5.016,A4=2.65159E-05
第１２面
K=-2.959,A4=2.75912E-04,A6=-2.29892E-06 
第１３面
K=0.000,A4=3.62031E-05,A6=-6.72144E-07
第１４面
K=0.000,A4=-1.45689E-04,A6=-2.10489E-06,A8=1.45536E-09
第１７面
K=0.000,A4=-7.59277E-05,A6=9.66565E-07,A8=-2.31221E-08,A10=3.30822E-10
ズームデータ
広角      中間      望遠
焦点距離       6.03     11.62     23.69 
ＦＮＯ．       1.85      2.14      2.53 
画角２ω      78.29     43.39     21.79 
d3           0.30      6.19     16.89 
d10         21.06      7.74      1.10 
d16          6.56      6.30      9.70 
d19          6.20     10.99     15.67 
BF           7.86     12.64     17.33 
全長          62.77     59.87     72.01 
【００９０】
数値実施例４
単位     ｍｍ
面データ
面番号                    ｒ         ｄ        ｎｄ      νｄ
1                  32.104      1.00     1.94595    17.98
2                  27.065      3.26     1.61800    63.33
3                 156.557      可変
4（非球面）        26.711      0.90     1.85135    40.10
5（非球面）         6.568      4.70
6                 -22.901      2.17     1.94595    17.98
7                 -12.739      0.73
8（非球面）        -9.767      1.50     1.80610    40.92
9（非球面）       -18.256      可変
10（明るさ絞り）      ∞        0.50
11（非球面）         9.242      4.36     1.49700    81.54
12（非球面）       -46.253      0.10
13（非球面）         8.260      1.47     1.49700    81.54
14                  11.284      0.80     1.84666    23.78
15                   6.865      2.45
16                 -45.032      1.28     1.74100    52.64
17                 -17.724      可変
18（非球面）        18.904     1.89     1.49700    81.61
19                 -35.102      0.68     1.80810    22.76
20               -2558.168      可変
21                    ∞        0.50     1.54771    62.84
22                    ∞        0.50
23                    ∞        0.50     1.51633    64.14
24                    ∞        0.50
像面（撮像面）        ∞
非球面データ
第４面
K=1.682,A4=1.49242E-05,A6=-1.83482E-06,A8=2.16177E-08,A10=-7.79528E-11
第５面
K=-0.039,A4=-1.66443E-05,A6=-3.61106E-06,A8=2.04178E-08,A10=-2.23557E-09
第８面
K=0.000,A4=2.26768E-05
第９面
K=3.922,A4=-6.60505E-06 
第１１面
K=-2.882,A4=3.86781E-04,A6=-1.99685E-06 
第１２面
K=0.000,A4=1.51928E-04,A6=-1.77133E-06
第１３面
K=0.000,A4=-6.84144E-05,A6=-2.77462E-06,A8=-1.22928E-08 
第１８面
K=0.000, A4=-3.77012E-05,A6=6.71301E-07,A8=1.75512E-09,A10=1.63131E-10
ズームデータ
広角      中間      望遠
焦点距離       6.07     10.34     23.60 
ＦＮＯ．       1.85      2.14      2.70 
画角２ω      77.83     48.26     21.86 
d3           0.30      4.13     19.23 
d9          21.61      9.47      1.10 
d17          5.79      6.51     10.53 
d20          4.97      8.25     12.15 
BF           6.62      9.91     13.81 
全長          62.12     57.81     72.47 
【００９１】
数値実施例５
単位     ｍｍ
面データ
面番号                    ｒ         ｄ        ｎｄ      νｄ
1                  29.772      1.00     1.94595    17.98
2                  25.355      3.17     1.61800    63.33
3                 124.038      可変
4（非球面）        26.875      0.90     1.85135    40.10
5                   6.834      4.66
6（非球面）       -25.982      0.89     1.80610    40.92
7                -116.737      1.95     1.92286    18.90
8                 -17.298      1.04
9（非球面）       -10.706      1.50     1.80610    40.92
10（非球面）       -18.022      可変
11（明るさ絞り）      ∞        0.50
12（非球面）         9.198      4.05     1.49700    81.54
13（非球面）       -21.735      0.10
14（非球面）         9.185      1.58     1.49700    81.54
15                  13.695      0.80     1.78472    25.68
16                   6.865      2.44
17                 -13.371      1.12     1.69350    50.81
18                 -10.214      可変
19（非球面）        17.447      1.70     1.49700    81.61
20               -1842.760      0.70     1.94595    17.98
21                  85.583      可変
22                    ∞        0.50     1.54771    62.84
23                    ∞        0.50
24                    ∞        0.50     1.51633    64.14
25                    ∞        0.50
像面（撮像面）        ∞
非球面データ
第４面
K=1.039,A4=4.68657E-05,A6=-4.15916E-07
第６面
K=0.000,A4=-5.95623E-06,A6=8.06114E-08,A8=1.34942E-08 
第９面
K=0.000,A4=5.77900E-05
第１０面
K=3.579,A4=3.71783E-05
第１２面
K=-2.729,A4=3.04174E-04,A6=-2.11326E-06 
第１３面
K=0.000,A4=1.67263E-04,A6=-8.65422E-07
第１４面
K=0.000,A4=-4.60662E-05,A6=-1.84245E-06,A8=4.69051E-08
第１９面
K=0.000,A4=-3.16382E-05,A6=6.64715E-07
ズームデータ
広角      中間      望遠
焦点距離       6.07     11.58     23.57 
ＦＮＯ．       1.85      2.21      2.73 
画角２ω      77.93     43.47     21.96 
d3           0.30      5.64     17.67 
d10         21.61      7.94      1.10 
d18          5.81      6.11      9.41 
d21          5.00      9.49     13.38 
BF           6.65     11.14     15.04 
全長          62.46     58.92     71.29 
【００９２】
数値実施例６
単位     ｍｍ
面データ
面番号                    ｒ         ｄ        ｎｄ      νｄ
1                  30.571      1.00     1.94595    17.98
2                  26.030      3.09     1.61800    63.33
3                 132.802      可変
4（非球面）        27.960      0.90     1.85135    40.10
5（非球面）         6.957      4.64
6                 -24.423      0.85     1.88300    40.76
7                 -67.906      1.90     1.92286    18.90
8                 -15.731      1.03
9（非球面）       -10.676      1.50     1.80610    40.92
10（非球面）       -18.726      可変
11（明るさ絞り）      ∞        0.50
12（非球面）         9.736      4.40     1.49700    81.54
13（非球面）       -21.794      0.10
14（非球面）         8.714      1.65     1.49700    81.54
15                  13.505      0.80     1.78472    25.68
16                   6.865      2.24
17                 -13.839      1.12     1.71999    50.23
18                 -10.899      可変
19（非球面）        17.694      1.74     1.49700    81.61
20                -214.459      0.69     1.94595    17.98
21                 148.489      可変
22                    ∞        0.50     1.54771    62.84
23                    ∞        0.50
24                    ∞        0.50     1.51633    64.14
25                    ∞        0.50
像面（撮像面）        ∞
非球面データ
第４面
K=1.955,A4=5.56918E-05,A6=-9.22310E-07,A8=8.55208E-09,A10=-3.12131E-11
第５面
K=0.070,A4=-5.71525E-06,A6=-1.32829E-06,A8=2.80019E-08,A10=-1.43078E-09
第９面
K=0.000,A4=-1.37186E-05
第１０面
K=3.608,A4=-2.17121E-05
第１２面
K=-3.132,A4=3.01321E-04,A6=-2.62536E-06
第１３面
K=0.000,A4=1.43101E-04,A6=-1.22623E-06
第１４面
K=0.000,A4=-3.74044E-05,A6=-2.04982E-06,A8=4.28932E-08
第１９面
K=0.000,A4=-3.41340E-05,A6=5.90957E-07,A8=8.89941E-09,A10=-2.18778E-10
ズームデータ
広角      中間      望遠
焦点距離       6.07     11.70     23.66 
ＦＮＯ．       1.85      2.21      2.73 
画角２ω      77.79     43.04     21.89 
d3           0.30      6.24     18.04 
d10         21.62      7.98      1.10 
d18          5.86      6.32      9.22 
d21          5.23      9.73     14.25 
BF           6.88     11.38     15.90 
全長          62.80     60.06     72.40 
【００９３】
数値実施例７
単位     ｍｍ
面データ
面番号                    ｒ         ｄ        ｎｄ      νｄ
1                  34.310      1.00     1.94595    17.98
2                  29.967      3.08     1.61800    63.33
3                 752.487      可変
4                  29.999      0.90     1.88300    40.76
5                   7.177      4.52
6（非球面）       -17.092      0.80     1.85135    40.10
7                 -57.705      2.08     1.92286    18.90
8                 -16.044      1.65
9（非球面）        -9.801      1.50     1.80610    40.92
10（非球面）       -13.146      可変
11（明るさ絞り）      ∞        0.50
12（非球面）        10.022      4.92     1.49700    81.54
13                3238.600      0.10
14（非球面）         8.871      3.03     1.49700    81.54
15                 206.819      0.79     1.68893    31.07
16                   8.429      0.67
17                  13.675      0.74     1.74320    49.34
18（非球面）        19.432      可変
19（非球面）        16.348      1.82     1.49700    81.61
20                 -63.943      0.64     1.84666    23.78
21                 -89.171      可変
22                    ∞        0.50     1.54771    62.84
23                    ∞        0.50
24                    ∞        0.50     1.51633    64.14
25                    ∞        0.50
像面（撮像面）        ∞
非球面データ
第６面
K=-1.565,A4=9.15922E-05,A6=-4.72427E-07,A8=1.89801E-08,A10=-2.49600E-10
第９面
K=0.000,A4=-2.40755E-04 
第１０面
K=0.704,A4=-1.46536E-04 
第１２面
K=-3.433,A4=4.21611E-04,A6=-3.33785E-06,A8=5.64801E-08,A10=-3.06831E-10
第１４面
K=0.000,A4=-5.96653E-05,A6=-1.44591E-06,A8=2.71333E-08,A10=-1.82874E-09
第１８面
K=-0.443,A4=2.70789E-04,A6=3.71974E-06
第１９面
K=0.000,A4=-5.02055E-05,A6=2.01803E-07,A8=2.78794E-09,A10=-3.24246E-11
ズームデータ
広角      中間      望遠
焦点距離       6.07     11.82     23.54 
ＦＮＯ．       1.85      2.19      2.63 
画角２ω      77.91     42.51     21.81 
d3           0.30      6.65     17.68 
d10         22.33      8.04      1.10 
d18          5.96      6.85     11.03 
d21          6.54     10.95     15.20 
BF           8.19     12.60     16.85 
全長          65.52     62.88     75.40 
【００９４】
数値実施例８
単位     ｍｍ
面データ
面番号                    ｒ         ｄ        ｎｄ      νｄ
1                  33.055      1.00     1.94595    17.98
2                  28.120      3.10     1.61800    63.33
3                 337.018      可変
4（非球面）        45.726      0.90     1.85135    40.10
5                   7.737      4.78
6                 -24.191      0.92     1.88300    40.76
7                 -86.016      1.96     1.92286    18.90
8                 -16.240      1.15
9（非球面）       -12.243      1.50     1.80610    40.92
10（非球面）       -21.677      可変
11（明るさ絞り）      ∞        0.50
12（非球面）         9.412      3.31     1.59201    67.02
13（非球面）       -66.716      0.10
14（非球面）         8.861      2.18     1.49700    81.54
15                  16.737      0.81     1.84666    23.78
16                   6.865      1.88
17                 -30.259      1.21     1.56732    42.82
18                 -14.177      可変
19（非球面）        16.468      1.79     1.49700    81.61
20                 257.252      0.68     1.94595    17.98
21                  93.135      可変
22                    ∞        0.50     1.54771    62.84
23                    ∞        0.50
24                    ∞        0.50     1.51633    64.14
25                    ∞        0.50
像面（撮像面）        ∞
非球面データ
第４面
K=1.964,A4=4.01450E-05,A6=-1.31459E-07,A8-2.24666E-11=
第９面
K=0.000,A4=-1.69798E-04 
第１０面
K=0.330,A4=-1.80922E-04 
第１２面
K=-2.732,A4=3.99219E-04,A6=-1.21434E-06 
第１３面
K=0.000,A4=1.46741E-04,A6=-1.66206E-06
第１４面
K=0.000,A4=-1.20167E-04,A6=-4.38372E-06,A8=-2.78217E-08 
第１９面
K=0.000,A4=-4.82566E-05,A6=-2.51120E-07,A8=4.60909E-08,A10=-8.41766E-10
ズームデータ
広角      中間      望遠
焦点距離       6.07     10.79     25.45 
ＦＮＯ．       1.85      2.18      2.76 
画角２ω      78.06     46.49     20.18 
d3           0.30      4.48     19.34 
d10         21.64      9.07      1.10 
d18          4.85      5.17      9.22 
d21          5.57      9.33     13.20 
BF           7.22     10.98     14.85 
全長          61.78     57.46     72.27 
【００９５】
数値実施例９
単位     ｍｍ
面データ
面番号                    ｒ         ｄ        ｎｄ      νｄ
1                  35.561      1.00     1.94595    17.98
2                  30.886      3.07     1.61800    63.33
3               22612.388      可変
4                  30.756      0.90     1.88300    40.76
5                   7.171      4.44
6（非球面）       -18.416      0.80     1.85135    40.10
7                 -33.464      1.76     1.92286    18.90
8                 -13.476      1.06
9（非球面）       -10.097      1.50     1.80610    40.92
10（非球面）       -16.827      可変
11（明るさ絞り）      ∞        0.50
12（非球面）        10.276      4.28     1.49700    81.54
13（非球面）       -25.891      0.10
14（非球面）         8.924      2.76     1.49700    81.54
15                  10.245      0.80     2.10225    16.80
16（非球面）         7.295      可変
17                  16.101      2.21     1.49700    81.61
18（非球面）       -71.236      可変
19                    ∞        0.50     1.54771    62.84
20                    ∞        0.50
21                    ∞        0.50     1.51633    64.14
22                    ∞        0.50
像面（撮像面）        ∞
非球面データ
第６面
K=-0.964,A4=4.80600E-05 
第９面
K=0.000,A4=-1.71471E-04 
第１０面
K=1.757,A4=-1.31608E-04 
第１２面
K=-1.032,A4=3.92706E-05,A6=-3.28304E-07 
第１３面
K=0.000,A4=2.89788E-05
第１４面
K=0.000,A4=-7.79400E-05 
第１６面
K=0.147,A4=-3.12002E-06,A6=9.06793E-07
第１８面
K=0.000,A4=1.04197E-04,A6=-2.87770E-07
ズームデータ
広角      中間      望遠
焦点距離       6.07     12.46     23.14 
ＦＮＯ．       1.85      2.20      2.57 
画角２ω      78.11     40.12     21.94 
d3           0.30      7.61     17.77 
d10         21.98      7.47      1.50 
d16          7.13      7.10      8.91 
d18          5.96     11.02     15.20 
BF           7.62     12.68     16.85 
全長          62.19     60.04     70.21 
【００９６】
数値実施例１０
単位     ｍｍ
面データ
面番号                    ｒ         ｄ        ｎｄ      νｄ
1                  30.217      1.00     1.94595    17.98
2                  23.864      3.59     1.77250    49.60
3                 170.276      可変
4                  31.168      0.90     1.88300    40.76
5                   6.896      4.53
6（非球面）       -15.395      1.63     1.86400    40.58
7                 -25.988      1.84     1.92286    18.90
8                 -14.009      0.87
9（非球面）       -11.409      1.40     1.74320    49.34
10（非球面）       -16.955      可変
11（非球面）        10.152      2.25     1.58313    59.38
12（非球面）        61.769      0.90
13（明るさ絞り）      ∞        0.90
14                   7.529      1.84     1.43875    94.93
15                   8.911      1.14     1.92286    18.90
16                   5.583      1.64     1.59201    67.02
17（非球面）        10.048      可変
18（非球面）        14.405      2.15     1.49700    81.54
19                -360.201      可変
20                    ∞        0.50     1.54771    62.84
21                    ∞        0.50
22                    ∞        0.50     1.51633    64.14
23                    ∞        0.50
像面（撮像面）        ∞
非球面データ
第６面
K=0.000,A4=1.19213E-04,A6=-1.87862E-07,A8=8.52900E-09,A10=-5.12872E-11
第９面
K=0.000,A4=-3.69680E-04 
第１０面
K=-0.917,A4=-3.24045E-04
第１１面
K=-0.428,A4=-2.26302E-05,A6=-7.54937E-07
第１２面
K=0.000,A4=-9.51649E-05,A6=-4.57150E-07 
第１７面
K=0.000,A4=7.38306E-04,A6=1.07183E-05,A8=4.25433E-07
第１８面
K=0.000,A4=-8.65878E-05,A6=3.05381E-07,A8=1.48102E-08 
ズームデータ
広角      中間      望遠
焦点距離       6.06     12.74     23.54 
ＦＮＯ．       1.85      2.23      2.64 
画角２ω      77.40     39.00     21.62 
d3           0.30      8.43     15.82 
d10         18.73      6.10      0.30 
d17          4.90      5.48      8.23 
d19          5.35      8.74     11.04 
BF           7.00     10.39     12.70 
全長          57.49     56.96     63.60 
【００９７】
数値実施例１１
単位     ｍｍ
面データ
面番号                    ｒ         ｄ        ｎｄ      νｄ
1                  30.487      1.00     1.94595    17.98
2                  26.651      3.35     1.61800    63.33
3                 684.260      可変
4                  27.607      0.90     1.88300    40.76
5                   6.828      4.25
6（非球面）       -18.492      0.80     1.85135    40.10
7                 -36.084      2.42     1.92286    18.90
8                 -13.466      0.79
9（非球面）        -9.791      1.50     1.80610    40.92
10（非球面）       -17.717      可変
11（明るさ絞り）      ∞        0.50
12（非球面）        10.259      4.66     1.49700    81.54
13（非球面）       -25.230      0.10
14（非球面）         9.057      2.72     1.49700    81.54
15                  10.426      0.80     2.10225    16.80
16（非球面）         7.429      可変
17                  17.428      1.97     1.49700    81.61
18（非球面）       -39.937      可変
19                    ∞        0.50     1.54771    62.84
20                    ∞        0.50
21                    ∞        0.50     1.51633    64.14
22                    ∞        0.50
像面（撮像面）        ∞
非球面データ
第６面
K=-0.944,A4=6.15122E-05 
第９面
K=0.000,A4=-1.28575E-04 
第１０面
K=2.512,A4=-9.27392E-05 
第１２面
K=-1.033,A4=3.54401E-05,A6=-7.85558E-07 
第１３面
K=0.000,A4=-3.41927E-06 
第１４面
K=0.000,A4=-9.67001E-05 
第１６面
K=0.046,A4=5.34003E-05,A6=1.74108E-06 
第１８面
K=0.000,A4=7.22595E-05,A6=-3.36998E-07
ズームデータ
広角      中間      望遠
焦点距離       6.07     12.46     23.13 
ＦＮＯ．       1.85      2.17      2.54 
画角２ω      77.89     39.96     21.98 
d3           0.30      8.01     16.40 
d10         20.20      7.24      1.50 
d16          6.84      7.02     10.17 
d18          6.50     11.21     15.19 
BF          8.15     12.86     16.84 
全長          61.26     60.90     70.68 
【００９８】
数値実施例１２
単位     ｍｍ
面データ
面番号                    ｒ         ｄ        ｎｄ      νｄ
1                  36.980      1.00     1.94595    17.98
2                  31.504      3.09     1.72916    54.68
3                 392.248      可変
4                  57.667      0.90     1.88300    40.76
5                   7.356      5.81
6（非球面）       -26.529      1.97     1.92286    20.88
7                 -13.904      1.37     1.86400    40.58
8（非球面）       -21.359      可変
9（非球面）         9.478      2.65     1.49700    81.54
10（非球面）        29.576      0.90
11（明るさ絞り）      ∞        0.90
12                   6.626      1.69     1.59201    67.02
13                   7.179      1.08     1.92286    18.90
14                   4.746      1.79     1.51633    64.14
15（非球面）         8.822      可変
16（非球面）        12.508      1.41     1.49700    81.54
17                  18.616      1.01     1.72916    54.68
18                  41.543      可変
19                    ∞        0.50     1.54771    62.84
20                    ∞        0.50
21                    ∞        0.50     1.51633    64.14
22                    ∞        0.50
像面（撮像面）        ∞
非球面データ
第６面
K=0.000,A4=-7.39617E-06,A6=-9.90629E-07,A8=1.71268E-08,A10=-3.28966E-10
第８面
K=5.827,A4=2.16947E-06,A6=-2.34558E-07,A8=9.39830E-10 
第９面
K=-1.906,A4=2.04133E-04,A6=-3.34295E-08
第１０面
K=0.000,A4=-8.37584E-05 
第１５面
K=0.000,A4=9.55630E-04,A6=1.40609E-05,A8=1.46910E-06
第１６面
K=0.000,A4=-1.31636E-04,A6=2.47323E-06,A8=6.36344E-12 
ズームデータ
広角      中間      望遠
焦点距離       6.06     12.67     23.54 
ＦＮＯ．       1.85      2.28      2.67 
画角２ω      77.46     39.16     21.61 
d3           0.30      9.42     18.84 
d8          22.83      7.64      0.30 
d15          1.89      4.20      7.25 
d18          6.93      8.92     10.52 
BF           8.58     10.58     12.17 
全長          59.17     57.40     64.13 
【００９９】
数値実施例１３
単位     ｍｍ
面データ
面番号                    ｒ         ｄ        ｎｄ      νｄ
1                  30.580      1.00     1.94595    17.98
2                  26.435      3.28     1.61800    63.33
3                 439.501      可変
4                  32.171      0.90     1.88300    40.76
5                   7.156      4.55
6（非球面）       -16.730      0.80     1.85135    40.10
7                 -35.471      2.44     1.92286    18.90
8                 -14.478      1.20
9（非球面）       -10.260      1.50     1.80610    40.92
10（非球面）       -15.006      可変
11（明るさ絞り）      ∞        0.50
12（非球面）         9.991      4.97     1.49700    81.54
13（非球面）       -40.356      0.10
14（非球面）         9.458      2.84     1.49700    81.54
15                  10.674      0.80     2.10225    16.80
16（非球面）         7.805      可変
17（非球面）        17.510      2.59     1.49700    81.61
18                 -15.017      0.68     1.81600    46.62
19                 -24.943      可変
20                    ∞        0.50     1.54771    62.84
21                    ∞        0.50
22                    ∞        0.50     1.51633    64.14
23                    ∞        0.50
像面（撮像面）        ∞
非球面データ
第６面
K=-1.090,A4=7.69911E-05,A6=9.81300E-08,A8=2.70907E-11 
第９面
K=0.000,A4=-2.12698E-04 
第１０面
K=1.073,A4=-1.37275E-04 
第１２面
K=-2.418,A4=2.53885E-04,A6=-1.38362E-06 
第１３面
K=0.000,A4=-2.29298E-05,A6=-2.31481E-07 
第１４面
K=0.000,A4=-1.08592E-04,A6=-1.96164E-06,A8=3.98004E-12
第１６面
K=0.253,A4=3.00822E-05,A6=-2.50420E-07,A8=-1.63744E-11
第１７面
K=0.000,A4=-5.09256E-05,A6=-2.32222E-07,A8=2.70718E-08,A10=-3.42126E-10
ズームデータ
広角      中間      望遠
焦点距離       6.07     11.36     23.54 
ＦＮＯ．       1.85      2.14      2.56 
画角２ω      78.11     44.25     21.77 
d3           0.30      5.63     16.80 
d10         22.45      8.45      1.10 
d16          6.19      6.30     10.25 
d19          6.60     10.96     15.25 
BF           8.25     12.61     16.90 
全長          65.34     61.14     73.20 
【０１００】
数値実施例１４
単位     ｍｍ
面データ
面番号                    ｒ         ｄ        ｎｄ      νｄ
1                  29.830      1.00     1.94595    17.98
2                  24.079      3.64     1.77250    49.60
3                 151.703      可変
4                  38.787      0.90     1.88300    40.76
5                   7.124      4.64
6（非球面）       -19.179      1.91     1.86400    40.58
7                 -17.303      2.09     1.92286    18.90
8                 -12.371      0.52
9                  -9.907      1.40     1.74320    49.34
10（非球面）       -17.752      可変
11（非球面）        13.482      1.81     1.58313    59.38
12（非球面）        65.213      0.90
13（明るさ絞り）      ∞        0.90
14                   7.164      2.24     1.43875    94.93
15                   8.822      1.39     1.92286    18.90
16                   5.634      2.15     1.59201    67.02
17（非球面）        11.113      可変
18（非球面）        14.932      2.13     1.49700    81.54
19                -235.143      可変
20                    ∞        0.50     1.54771    62.84
21                    ∞        0.50
22                    ∞        0.50     1.51633    64.14
23                    ∞        0.50
像面（撮像面）        ∞
非球面データ
第６面
K=0.000,A4=4.27141E-05,A6=-9.76278E-07,A8=3.42574E-08,A10=-4.02785E-10
第１０面
K=-0.510,A4=-7.92629E-05,A6=-5.79567E-07,A8=-8.30263E-09
第１１面
K=-0.977,A4=4.09367E-05,A6=-7.31495E-07 
第１２面
K=0.000,A4=-2.20596E-05,A6=-1.17786E-06 
第１７面
K=0.000,A4=6.78580E-04,A6=8.90075E-06,A8=7.00696E-07
第１８面
K=0.000,A4=-9.61896E-05,A6=2.73029E-07,A8=1.09140E-08 
ズームデータ
広角      中間      望遠
焦点距離       6.07     12.68     23.54 
ＦＮＯ．       1.85      2.19      2.56 
画角２ω      77.93     39.23     21.62 
d3           0.30      8.56     15.96 
d10         21.20      7.08      0.30 
d17          4.72      5.38      8.00 
d19          5.70      8.74     10.83 
BF           7.35     10.39     12.48 
全長          61.21     59.04     64.37 
【０１０１】
数値実施例１５
単位     ｍｍ
面データ
面番号                    ｒ         ｄ        ｎｄ      νｄ
1                  33.381      1.00     1.94595    17.98
2                  27.416      3.55     1.72916    54.68
3                 289.680      可変
4                  32.503      0.90     1.88300    40.76
5                   7.094      4.39
6（非球面）       -20.436      1.59     1.86400    40.58
7                 -27.221      2.02     1.92286    18.90
8                 -14.282      0.95
9                  -9.997      1.26     1.74320    49.34
10（非球面）       -17.108      可変
11（非球面）        11.809      2.16     1.58313    59.38
12（非球面）       -48.472      0.90
13（明るさ絞り）      ∞        0.90
14                   8.098      1.91     1.49700    81.61
15                  16.627      2.06     1.92286    20.88
16                   7.048      1.18
17                 119.228      1.17     1.49700    81.54
18（非球面）       -22.452      可変
19（非球面）        14.508      2.01     1.59201    67.02
20                  77.627      可変
21                    ∞        0.50     1.54771    62.84
22                    ∞        0.50
23                    ∞        0.50     1.51633    64.14
24                    ∞        0.50
像面（撮像面）        ∞
非球面データ
第６面
K=0.000,A4=3.38177E-05,A6=-1.18814E-06,A8=5.54108E-08,A10=-9.81455E-10
第１０面
K=-0.466,A4=-9.06569E-05,A6=-5.11799E-07,A8=-1.10343E-08
第１１面
K=-1.162,A4=7.78914E-05,A6=6.12008E-07
第１２面
K=0.000,A4=1.28123E-04,A6=-3.46959E-07
第１８面
K=0.000,A4=7.83939E-05,A6=3.37404E-06,A8=2.71529E-07
第１９面
K=0.000,A4=-6.33195E-05,A6=1.61560E-08,A8=6.82770E-09 
ズームデータ
広角      中間      望遠
焦点距離       6.07     12.63     23.54 
ＦＮＯ．       1.85      2.24      2.67 
画角２ω      77.75     39.22     21.53 
d3           0.30      9.01     17.65 
d10         17.79      5.68      0.30 
d18          3.21      3.78      6.96 
d20          5.54      8.91     10.88 
BF           7.19     10.56     12.54 
全長          56.44     56.98     65.39 
【０１０２】
数値実施例１６
単位     ｍｍ
面データ
面番号                    ｒ         ｄ        ｎｄ      νｄ
1                  32.509      1.00     1.94595    17.98
2                  28.991      3.14     1.61800    63.33
3                 449.379      可変
4                  29.192      0.90     1.88300    40.76
5                   7.075      4.46
6（非球面）       -18.400      0.80     1.85135    40.10
7                 -74.127      2.08     1.92286    18.90
8                 -16.882      1.48
9（非球面）        -9.578      1.50     1.80610    40.92
10（非球面）       -12.890      可変
11（明るさ絞り）      ∞        0.50
12（非球面）         9.748      4.93     1.49700    81.54
13                 252.305      0.10
14（非球面）         8.280      3.06     1.49700    81.54
15                -375.062      0.81     1.68893    31.07
16                   8.353      0.97
17                  20.070      0.80     1.74320    49.34
18（非球面）        30.509      可変
19（非球面）        15.208      1.78     1.49700    81.61
20                -107.579      可変
21                    ∞        0.50     1.54771    62.84
22                    ∞        0.50
23                    ∞        0.50     1.51633    64.14
24                    ∞        0.50
像面（撮像面）        ∞
非球面データ
第６面
K=-1.604,A4=1.11977E-04,A6=-5.12354E-07,A8=2.21425E-08,A10=-2.02757E-10
第９面
K=0.000,A4=-2.44415E-04 
第１０面
K=0.644,A4=-1.48723E-04 
第１２面
K=-4.850,A4=6.69768E-04,A6=-8.75537E-06,A8=1.52042E-07,A10=-1.01051E-09
第１４面
K=0.000,A4=-1.49793E-04,A6=-2.74841E-06,A8=2.08625E-08,A10=-2.60103E-09
第１８面
K=-0.542,A4=2.37170E-04,A6=2.23407E-06
第１９面
K=0.000,A4=-4.44272E-05,A6=-1.36324E-07,A8=1.07101E-08,A10=-1.39903E-10
ズームデータ
広角      中間      望遠
焦点距離       6.07     11.72     23.54 
ＦＮＯ．       1.85      2.19      2.62 
画角２ω      77.93     42.93     21.90 
d3           0.30      6.36     17.26 
d10         21.60      7.89      1.10 
d18          4.96      6.00     10.85 
d20          7.07     11.23     15.19 
BF           8.72     12.88     16.84 
全長          63.90     61.45     74.36 
【０１０３】
数値実施例１７
単位     ｍｍ
面データ
面番号                    ｒ         ｄ        ｎｄ      νｄ
1                  46.654      1.00     1.94595    17.98
2                  34.230      2.72     1.83481    42.71
3                 941.721      可変
4                  34.898      0.90     1.88300    40.76
5                   7.330      4.75
6（非球面）       -16.844      0.80     1.85135    40.10
7                 -29.480      1.94     1.92286    20.88
8                 -12.736      1.10
9（非球面）        -9.932      1.50     1.80610    40.92
10（非球面）       -15.378      可変
11（明るさ絞り）      ∞        0.50
12（非球面）        10.122      4.22     1.59201    67.02
13（非球面）       -29.535      0.10
14                   8.968      2.70     1.49700    81.61
15                 121.499      0.60     1.90366    31.32
16（非球面）         7.872      可変
17                  16.774      2.42     1.49700    81.61
18（非球面）       -45.024      可変
19                    ∞        0.50     1.54771    62.84
20                    ∞        0.50
21                    ∞        0.50     1.51633    64.14
22                    ∞        0.50
像面（撮像面）        ∞
非球面データ
第６面
K=-0.387,A4=5.50441E-05 
第９面
K=0.000,A4=-1.69514E-04 
第１０面
K=1.351,A4=-1.21763E-04 
第１２面
K=-1.082,A4=6.04730E-05,A6=7.53616E-08
第１３面
K=0.000,A4=4.70476E-05
第１６面
K=0.329,A4=5.82255E-05,A6=7.76448E-07 
第１８面
K=0.329,A4=9.91580E-05,A6=1.06788E-07 
ズームデータ
広角      中間      望遠
焦点距離       6.07     12.62     23.18 
ＦＮＯ．       1.85      2.18      2.53 
画角２ω      78.01     39.44     21.84 
d3           0.30      8.12     18.01 
d10         24.72      8.24      1.50 
d16          7.43      7.42      9.05 
d18          5.99     11.04     15.23 
BF           7.64     12.69     16.88 
全長          65.34     61.73     70.70 
【０１０４】
以下に各実施例の代表値を示す。
実施例１  実施例２  実施例３  実施例４  実施例５  実施例６
変倍比    3.85      3.88      3.93      3.89      3.88      3.90
ＩＨ      4.60      4.60      4.60      4.60      4.60      4.60
ｆ１     56.69     66.24     57.65     72.55     69.76     70.77
ｆ２    -11.19    -11.62     -9.75    -10.86    -10.59    -10.53
ｆ３     14.90     17.81     16.46     15.22     15.17     15.36
ｆ４     30.26     25.14     23.51     55.47     56.60     50.10
【０１０５】
実施例７  実施例８  実施例９  実施例10  実施例11  実施例12
変倍比    3.88      3.88      4.19      3.81      3.81      3.88
ＩＨ      4.60      4.60      4.60      4.60      4.60      4.60
ｆ１     62.50     60.07     65.02     62.11     55.36     57.49
ｆ２    -10.56    -10.45    -10.69    -10.42     -9.63    -10.42
ｆ３     17.07     17.08     15.28     16.23     16.12     17.34
ｆ４     29.24     26.94     45.08     26.65     24.69     25.51
【０１０６】
実施例13  実施例14  実施例15  実施例16  実施例17
変倍比    3.88      3.88      3.88      3.88      3.82
ＩＨ      4.60      4.60      4.60      4.60      4.60
ｆ１     58.77     50.32     55.03     50.22     61.70
ｆ２    -13.12    -11.03    -10.33    -10.19    -11.14
ｆ３     16.75     15.74     14.51     14.80     17.38
ｆ４     28.27     28.33     29.79     27.92     24.91
【０１０７】
以上の実施例１〜１７の無限遠距離合焦時の収差図をそれぞれ図１８〜３４に示す。これらの収差図において、（ａ）は広角端、（ｂ）は中間焦点距離状態、（ｃ）は望遠端における球面収差ＳＡ、非点収差ＡＳ、歪曲収差ＤＴ、倍率色収差ＣＣを示す。なお、各収差図中、“ω”は半画角（単位は度）を表す。
【０１０８】
次に、上記各実施例における条件式（Ａ）〜（１９）の対応値を示す。
【０１０９】
実施例１  実施例２  実施例３  実施例４  実施例５  実施例６
条件式(A)   -3.35・・ -4.29・・ -4.44・・ -3.88・・ -3.86・・ -4.03・・
条件式(1)    0.28      0.25      0.39      0.37      0.31      0.33 
条件式(2)    0.60      0.59      0.49      0.54      0.59      0.57 
条件式(3)   -1.83     -1.92     -1.62     -1.79     -1.74     -1.73 
条件式(4)    0.27      0.27      0.27      0.27      0.27      0.27 
条件式(5)    0.34      0.32      0.33      0.36      0.36      0.36 
条件式(6)    0.82      0.93      0.91      0.90      0.91      0.91 
条件式(7)    9.28     10.92      9.56      11.95     11.49     11.66
条件式(8)    3.85      3.88      3.93      3.89      3.88      3.90 
条件式(9)    2.44      2.94      2.73      2.51      2.50      2.53 
条件式(10)   4.95      4.14      3.90      9.14      9.33      8.26 
条件式(11)   9.65     11.09     10.47     10.29     10.35     10.41 
条件式(12)   0.54      0.27      0.23      0.48      0.46      0.43 
条件式(13)   1.66      1.53      1.62      1.49      1.47      1.47 
条件式(14)   3.09      5.64      7.04      3.09      3.22      3.41 
条件式(15)   0.75      0.45      0.35      0.85      0.82      0.78 
条件式(16)   3.29      4.30      3.58      3.64      3.64      3.64 
条件式(17)   1.50      2.05      2.09      1.97      1.97      2.04 
条件式(18)   0.75      0.76      0.76      0.76      0.76      0.76 
条件式(19)   0.02      0.09      0.14      0.14      0.18      0.17
【０１１０】
実施例７  実施例８  実施例９  実施例10  実施例11  実施例12
条件式(A)   -2.90・・ -4.53・・ -3.78・・ -3.74・・ -4.16・・ -3.67・・
条件式(1)    0.18      0.19      0.29      0.31      0.35      0.23 
条件式(2)    0.75      0.74      0.56      0.60      0.55      0.68 
条件式(3)   -1.74     -1.72     -1.76     -1.72     -1.59     -1.72 
条件式(4)    0.27      0.27      0.27      0.27      0.27      0.27 
条件式(5)    0.34      0.33      0.36      0.34      0.34      0.33 
条件式(6)    0.95      0.93      0.91      0.92      0.91      0.94 
条件式(7)   10.30      9.90     10.71     10.23      9.12      9.47 
条件式(8)    3.88      3.88      4.19      3.81      3.81      3.88 
条件式(9)    2.82      2.82      2.52      2.68      2.66      2.86 
条件式(10)   4.82      4.44      7.43      4.39      4.07      4.20 
条件式(11)  10.86     10.59     10.23     10.30     10.15     10.82 
条件式(12)   0.35      0.34      0.48      0.31      0.31      0.30 
条件式(13)   1.56      1.58      1.60      1.57      1.62      1.61 
条件式(14)   4.45      4.66      3.32      5.06      5.29      5.27 
条件式(15)   0.56      0.53      0.79      0.48      0.44      0.46 
条件式(16)   3.76      3.64      3.65      3.70      3.41      3.78 
条件式(17)   2.26      2.31      1.98      1.82      1.98      2.09 
条件式(18)   0.76      0.76      0.76      0.76      0.76      0.76 
条件式(19)   0.03      0.05      0.07      0.00      0.03      0.05
【０１１１】
実施例13  実施例14  実施例15  実施例16  実施例17
条件式(A)   -3.29・・ -3.82・・ -3.89・・ -2.89・・ -3.23・・
条件式(1)    0.19      0.31      0.30      0.19      0.27
条件式(2)    0.65      0.56      0.58      0.67      0.65
条件式(3)   -2.16     -1.82     -1.70     -1.68     -1.83
条件式(4)    0.27      0.27      0.27      0.27      0.27
条件式(5)    0.30      0.32      0.34      0.34      0.34
条件式(6)    0.82      0.84      0.81      0.84      0.97
条件式(7)    9.69      8.29      9.07      8.28     10.17
条件式(8)    3.88      3.88      3.88      3.88      3.82
条件式(9)    2.77      2.59      2.39      2.44      2.87
条件式(10)   4.66      4.67      4.91      4.60      4.10
条件式(11)   9.82     10.14      9.36      9.54     10.82
条件式(12)   0.61      0.59      0.58      0.55      0.28
条件式(13)   1.73      1.77      1.73      1.74      1.58
条件式(14)   2.82      2.97      3.00      3.15      5.68
条件式(15)   0.80      0.74      0.75      0.71      0.43
条件式(16)   3.77      3.49      2.93      3.09      4.16
条件式(17)   1.48      1.38      1.50      1.49      1.79
条件式(18)   0.76      0.76      0.76      0.76      0.76
条件式(19)   0.06      0.14      0.06      0.11      0.03
【０１１２】
各実施例にて、以下の構成としてもよい。
【０１１３】
上述の各実施例のズームレンズは矩形の光電変換面（撮像面）上に広角端では樽型の歪曲収差が発生した像が形成される。一方、中間焦点距離状態付近や望遠端では歪曲収差の発生が抑えられる。広角端付近で発生する歪曲収差を画像処理で補正するために、有効撮像領域を、広角端では樽型形状とし、中間焦点距離状態や望遠端では矩形の形状となるようにしてもよい。その場合、あらかじめ設定した有効撮像領域を画像処理により画像変換し、歪みを低減させた矩形の画像情報に変換する。そのため、広角端での像高ＩＨｗは、中間焦点距離状態の像高ＩＨｓや望遠端での像高ＩＨｔよりも小さくなる。
また、このような構成とすれば、第１レンズ群、第２レンズ群の有効径がいっそう小さくでき、小径化に有利となる。
【０１１４】
また、ズームレンズにより撮影された画像の電気信号を、画像処理により倍率色収差による色のずれを補正した画像信号に変換する画像変換部を有することが好ましい。ズームレンズの倍率色収差を電気的に補正することで、より良好な画像を得ることができるようになる。
倍率色収差はズーム状態、フォーカス状態、絞り値によって変化するが、各レンズポジション（ズーム状態、フォーカス状態、絞り値）ごとに、第１原色からの第２原色及び第３原色のずれ量を補正データとして記憶保持装置に記憶させておくとよい。ズームポジションに応じて、この補正データを参照することで、第１原色信号に対する第２及び第３原色のずれを補正した第２及び第３原色信号を出力することができる。
【０１１５】
またゴースト、フレア等の不要光をカットするために、明るさ絞り以外にフレア絞りを任意に配置してもよい。
第１レンズ群の物体側、第１、２レンズ群間、第３、４レンズ群間、最も像面側のレンズ群から像面間のいずれの場所に配置しても良い。
枠部材によりフレア光線をカットするように構成しても良いし、別の部材を構成しても良い。また光学系に直接印刷しても塗装してもシールなどを接着してもかまわない。またその形状は円形、楕円形、矩形、多角形、関数曲線で囲まれる範囲等、いかなる形状でもかまわない。また不要光束をカットするだけでなく画面周辺のコマフレア等の光束をカットしても良い。
【０１１６】
また、各レンズの空気接触面や接合面に反射防止コートを行い、ゴースト、フレアを軽減してもかまわない。マルチコートであれば効果的にゴースト、フレアを軽減できるので望ましい。２層あるいはそれ以上の膜数のコート材や膜厚を適宜組み合わせることで、更なる反射率の低減や、反射率の分光特性・角度特性等のコントロールなどを行うことが可能となる。また赤外カットコートをレンズ面、カバーガラス等に行ってもかまわない。
【０１１７】
（デジタルカメラ）
図３５〜図３７は、以上のようなズームレンズを撮影光学系４１に組み込んだ本発明によるデジタルカメラの構成の概念図を示す。図３５はデジタルカメラ４０の外観を示す前方斜視図、図３６は同後方正面図、図３７はデジタルカメラ４０の構成を示す模式的な断面図である。ただし、図３５と図３７においては、撮影光学系４１の非沈胴時を示している。デジタルカメラ４０は、この例の場合、撮影用光路４２を有する撮影光学系４１、ファインダー用光路４４を有するファインダー光学系４３、シャッターボタン４５、フラッシュ４６、液晶表示モニター４７、焦点距離変更ボタン６１、設定変更スイッチ６２等を含み、撮影光学系４１の沈胴時には、カバー６０をスライドすることにより、撮影光学系４１とファインダー光学系４３とフラッシュ４６はそのカバー６０で覆われる。そして、カバー６０を開いてカメラ４０を撮影状態に設定すると、撮影光学系４１は図３７の非沈胴状態（望遠撮影状態）になり、カメラ４０の上部に配置されたシャッターボタン４５を押圧すると、それに連動して撮影光学系４１、例えば実施例１のズームレンズを通して撮影が行われる。撮影光学系４１によって形成された物体像が、波長域制限コートを施したローパスフィルターＦとカバーガラスＣを介してＣＣＤ４９の撮像面上に形成される。このＣＣＤ４９で受光された物体像は、処理手段５１を介し、電子画像としてカメラ背面に設けられた液晶表示モニター４７に表示される。また、この処理手段５１には記録手段５２が接続され、撮影された電子画像を記録することもできる。なお、この記録手段５２は処理手段５１と別体に設けてもよいし、フレキシブルディスクやメモリーカード、ＭＯ等により電子的に記録書込を行うように構成してもよい。また、ＣＣＤ４９に代わって銀塩フィルムを配置した銀塩カメラとして構成してもよい。
【０１１８】
さらに、ファインダー用光路４４上にはファインダー用対物光学系５３が配置してある。ファインダー用対物光学系５３は、複数のレンズ群（図の場合は３群）と２つの  プリズム（５５ａ、５５ｂ）からなり、撮影光学系４１のズームレンズに連動して焦点距離が変化するズーム光学系からなり、このファインダー用対物光学系５３によって形成された物体像は、像正立部材である正立プリズム５５の視野枠５７上に形成される。この正立プリズム５５の後方には、プリズム（５５ｃ）が配置され、さらに、正立正像にされた像を観察者眼球Ｅに導く接眼光学系５９が配置されている。なお、接眼光学系５９の射出側にカバー部材５０が配置されている。
【０１１９】
このように構成されたデジタルカメラ４０は、撮影光学系４１が本発明により、沈胴時に厚みを極めて薄く、高変倍で全変倍域で結像性能を極めて安定的であるので、高性能・小型化・広角化が実現できる。
【０１２０】
（内部回路構成）
図３８は、上記デジタルカメラ４０の主要部の内部回路の構成ブロック図である。なお、以下の説明では、上記の処理手段は、例えばＣＤＳ／ＡＤＣ部２４、一時記憶メモリ１７、画像処理部１８等からなり、記憶手段は、例えば記憶媒体部１９等からなる。
【０１２１】
図３８に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０１２２】
上記の一時記憶メモリ１７、画像処理部１８、記憶媒体部１９、表示部２０、及び設定情報記憶メモリ部２１は、バス２２を介して相互にデータの入力又は出力が可能なように構成され、また、撮像駆動回路１６には、ＣＣＤ４９とＣＤＳ／ＡＤＣ部２４が接続されている。
【０１２３】
操作部１２は各種の入力ボタンやスイッチを備え、これらの入力ボタンやスイッチを介して外部（カメラ使用者）から入力されるイベント情報を制御部に通知する回路である。
【０１２４】
制御部１３は、例えばＣＰＵ等からなる中央演算処理装置であり、不図示のプログラムメモリを内蔵し、そのプログラムメモリに格納されているプログラムにしたがって、操作部１１２を介してカメラ使用者から入力される指示命令を受けてデジタルカメラ４０全体を制御する回路である。
【０１２５】
ＣＣＤ４９は、本発明による撮影光学系４１を介して形成された物体像を受光する。ＣＣＤ４９は、撮像駆動回路１６により駆動制御され、その物体像の各画素ごとの光量を電気信号に変換してＣＤＳ／ＡＤＣ部２４に出力する撮像素子である。
【０１２６】
ＣＤＳ／ＡＤＣ部２４は、ＣＣＤ４９から入力する電気信号を増幅しかつアナログ／デジタル変換を行って、この増幅とデジタル変換を行っただけの映像生データ（ベイヤーデータ、以下ＲＡＷデータという。）を一時記憶メモリ１７に出力する回路である。
【０１２７】
一時記憶メモリ１７は、例えばＳＤＲＡＭ等からなるバッファであり、ＣＤＳ／ＡＤＣ部２４から出力される上記ＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３から指定された画質パラメータに基づいて各種画像処理（歪曲収差補正や倍率色収差補正を含めてもよい）を電気的に行う回路である。
【０１２８】
記録媒体部１９は、例えばフラッシュメモリ等からなるカード型又はスティック型の記録媒体を着脱自在に装着して、それらカード型又はスティック型のフラッシュメモリに、一時記憶メモリ１７から転送されるＲＡＷデータや画像処理部１８で画像処理された画像データを記録して保持する装置の制御回路である。
【０１２９】
表示部２０は、液晶表示モニターを備え、その液晶表示モニターに画像や操作メニュー等を表示する回路である。設定情報記憶メモリ部２１には、予め各種の画質パラメータが格納されているＲＯＭ部と、そのＲＯＭ部から読み出された画質パラメータの中から操作部１２の入力操作によって選択された画質パラメータを記憶するＲＡＭ部が備えられている。設定情報記憶メモリ部２１は、それらのメモリへの入出力を制御する回路である。
【０１３０】
このように構成されたデジタルカメラ４０は、撮影光学系４１が、本発明により、十分な広角域を有し、コンパクトな構成としながら、高変倍比を持ち、全変倍域で結像性能が極めて安定的であるので、明るく高性能・小型化・広画角化が実現できる。
【符号の説明】
【０１３１】
Ｇ１…第１レンズ群
Ｇ２…第２レンズ群
Ｇ３…第３レンズ群
Ｇ４…第４レンズ群
Ｓ…明るさ絞り
Ｆ…ローパスフィルター
Ｃ…カバーガラス
Ｉ…像面
ＧＩ…像側レンズグループ
１２…操作部
１３…制御部
１４…バス
１５…バス
１６…撮像駆動回路
１７…一時記憶メモリ
１８…画像処理部
１９…記憶媒体部
２０…表示部
２１…設定情報記憶メモリ部
２２…バス
２４…ＣＤＳ／ＡＤＣ部
４０…デジタルカメラ
４１…撮影光学系
４２…撮影用光路
４３…ファインダー光学系
４４…ファインダー用光路
４５…シャッターボタン
４６…フラッシュ
４７…液晶表示モニター
４９…ＣＣＤ
５０…カバー部材
５１…処理手段
５２…記録手段
５３…ファインダー用対物光学系
５５…正立プリズム
５７…視野枠
５９…接眼光学系
６０…カバー
６１…焦点距離変更ボタン
６２…設定変更スイッチ
【図１】
0005393278.tif 000002
【図２】
0005393278.tif 000003
【図３】
0005393278.tif 000004
【図４】
0005393278.tif 000005
【図５】
0005393278.tif 000006
【図６】
0005393278.tif 000007
【図７】
0005393278.tif 000008
【図８】
0005393278.tif 000009
【図９】
0005393278.tif 000010
【図１０】
0005393278.tif 000011
【図１１】
0005393278.tif 000012
【図１２】
0005393278.tif 000013
【図１３】
0005393278.tif 000014
【図１４】
0005393278.tif 000015
【図１５】
0005393278.tif 000016
【図１６】
0005393278.tif 000017
【図１７】
0005393278.tif 000018
【図１８】
0005393278.tif 000019
【図１９】
0005393278.tif 000020
【図２０】
0005393278.tif 000021
【図２１】
0005393278.tif 000022
【図２２】
0005393278.tif 000023
【図２３】
0005393278.tif 000024
【図２４】
0005393278.tif 000025
【図２５】
0005393278.tif 000026
【図２６】
0005393278.tif 000027
【図２７】
0005393278.tif 000028
【図２８】
0005393278.tif 000029
【図２９】
0005393278.tif 000030
【図３０】
0005393278.tif 000031
【図３１】
0005393278.tif 000032
【図３２】
0005393278.tif 000033
【図３３】
0005393278.tif 000034
【図３４】
0005393278.tif 000035
【図３５】
0005393278.tif 000036
【図３６】
0005393278.tif 000037
【図３７】
0005393278.tif 000038
【図３８】
0005393278.tif 000039